(57)【要約】【課題】稀土鉱石、トルマリン、長石等に含まれるトリウム、ウラン系列核種等は放射性壊変によってα線、β線や、残留核を発生し、水等と反応して、その化学結合やファンデルワールス力を切断し、より微細なクラスターを生成する。この性質を利用して、深層水［海面下２００メートル以上の深海から取水した深層海水、湧昇海水または、深層水］のクラスターの微細化を種々検討し、土壌活性剤として利用することを検討した。【解決手段】深層水を濃縮して得られる苦汁を添加した土壌活性剤のクラスターの微細化の問題を解決するため、稀土鉱石、トルマリン、長石等を井桁状の陶磁器とし、深層水、純水、濃縮水等を処理し、水の水素結合やファンデルワールス力の切断、励起、再結合によってクラスターの微細化を達成し、土壌活性剤としての強力な植物や微生物の成長力の向上と発現を達成した。【特許請求の範囲】
【請求項１】
苦汁／稀土鉱石／トルマリン／長石とよりなる放射線発生体。
【請求項２】
発生体中の苦汁成分０−３０重量％に対して、稀土鉱石０−１００重量％、トルマリン０−３０重量％、長石０−７０重量％である請求項１記載の放射線発生体。
【請求項３】
請求項２記載の放射線発生体の微粉末を釉薬または、塗料として井桁状に組み上げたタイルの表裏に塗布し焼き上げた陶磁器の形状をした放射線発生体。
【請求項４】
苦汁／稀土鉱石／トルマリン／長石とよりなる土壌活性剤。
【請求項５】
苦汁成分０−３０重量％に対して、稀土鉱石０−１００重量％、トルマリン０−９０重量％、長石０−５０重量％である請求項４記載の土壌活性剤。
【請求項６】
請求項５記載の微粉末をボール状の形状にした土壌活性剤。
【請求項７】
請求項５記載の微粉末を円筒状支持体に塗布した形状の土壌活性剤。
【請求項８】
苦汁と酸／塩基／塩とよりなる土壌活性剤。
【請求項９】
土壌活性剤中の苦汁成分量が０−１００重量％、酸／塩基／塩、０−１０重量％である請求項８記載の土壌活性剤。
【請求項１０】
請求項８記載の土壌活性剤に、ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓ  Ｌ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅ  ｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）から選ばれた１種若しくは２種以上の沿岸帯植物の乾燥粉末を加えた土壌活性剤。
【請求項１１】
請求項８記載の土壌活性剤に、アリシン（Ａｌｌｉｃｉｎ：  ２−ｐｒｏｐｅｎｅ−１−ｓｕｌｆｉｎｏｔｈｉｏｉｃ  ａｃｉｄ  Ｓ−２−ｐｒｏｐｅｎｙｌ  ｅｓｔｅｒ；  ｔｈｉｏ−２−ｐｒｏｐｅｎｅ−１−ｓｕｌｆｉｎｉｃ  ａｃｉｄ  Ｓ−ａｌｌｙｌ  ｅｓｔｅｒ）１０−２００００ｐｐｍを加えた土壌活性剤。
【請求項１２】
請求項８記載の土壌活性剤に、塩基性多糖（キチン（ｃｈｉｔｉｎ）、キトサン（ｃｈｉｔｏｓａｎ）、キチン誘導体、キトサン誘導体）を１０〜２００００ｐｐｍを加えた土壌活性剤。
【請求項１３】
苦汁に、木酢液２−３０重量％を加えた土壌活性剤。
【請求項１４】
請求項８記載の土壌活性剤に、ゲル化剤を１−２０重量％加えた土壌活性剤。
【請求項１５】
請求項５記載の土壌活性剤に、ゲル化剤を１−２０重量％加えた土壌活性剤。
【請求項１６】
苦汁と酸／塩基／塩および、セルラーゼとよりなる土壌活性剤剤。
【請求項１７】
土壌活性剤中の苦汁成分量が０−１００重量％、酸／塩基／塩、０−１０重量％セルラーゼ０−１０重量％である請求項１６記載の土壌活性剤剤。
【請求項１８】
請求項１、２および、３記載の放射線発生体と、直接的および／または、間接的に接触したことを特徴とする、請求項４〜１７記載の土壌活性剤。
【請求項１９】
海面下２００メートル以上の深海から取水した深層海水、湧昇海水または、深層水を濃縮して得られる苦汁を利用して製造される請求項１−６記載の放射線発生体および、請求項７〜１８記載の土壌活性剤。
【発明の詳細な説明】
【０００１】
【産業上の利用分野】
この発明は、深層水（ｄｅｅｐ  ｌａｙｅｒ  ｗａｔｅｒ）［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）］を濃縮して得られる苦汁（ｂｉｔｔｅｒｎ）を利用して製造される土壌活性剤剤に関するものであり、含まれる従来にない多様なミネラルが土壌圏、水圏、気層圏等人間の生存する環境圏に対する浄化効果を有する土壌活性剤に関するものである（湧昇：Ｂ．Ｈ．ＭｃＣｏｎｎａｕｇｈｅｙ，  Ｉｎｔｒｏｄｕｃｔｉｏｎ  ｔｏ  Ｍａｒｉｎｅ  Ｂｉｏｌｏｇｙ，  １０，  （１９７０，  Ｔｈｅ  Ｃ．  Ｖ．  Ｍｏｓｂｙ  Ｃｏｍｐａｎｙ，  Ｓａｉｎｔ  Ｌｏｕｉｓ，ＵＳＡ））。さらに、また、本発明は、苦汁／稀土鉱石／トルマリン／長石とよりなる放射線発生体の作用で水のクラスター構造の微細化（構造化（ｓｔｒｕｃｔｕｒｉｚｅｄ））をなした土壌活性剤に関するものである。ここで用いられる深層水はいずれも滞留時間が長く、また、食物連鎖の中で栄養分の連環消費がなされていない源海水であることが必要である。
【０００２】
【従来の技術及び発明が解決しようとする課題】
微生物、動植物等を生育させるには必ず培地が必要であり、最小培地（Ｍｉｎｉｍａｌ  ｍｅｄｉｕｍ）として炭素源、窒素源、ミネラル（Ｎａ，Ｋ，Ｍｇ，Ｆｅ等に代表されるミネラル）等を含む培地がよく知られる（川喜田正夫訳、Ｄａｖｉｄ  Ｆｒｅｉｆｅｌｄｅｒ
著、分子生物学の基礎、２頁、東京化学同人（１９８５））。
【０００３】
しかし、微生物、動植物の種によってこの最小培地は大きく異なっており、一般的な最小培地と称するものがあらゆる生物種に対して最適培地たり得ない。
たとえば微生物の場合、原栄養体（ｐｒｏｔｏｔｒｏｐｈ）、栄養素要求体（ａｕｘｏｔｒｏｐｈ）等がありその栄養要求は千差万別  である。
【０００４】
水圏、土壌圏において微生物、動植物、魚介類等を生育させた場合、加えた培地成分中から当該生物の栄養要求に従って培地中の栄養は消費される。
従って、培地中の栄養要求に合致しなかった成分は消費されず残査として濃縮残留される。この消費されない培地成分の水圏への残留蓄積によって連作障害、ウイルス、病気発生等種々問題が発生してくる。
【０００５】
特に、ミネラルの場合、二次要素（ｓｅｃｏｎｄａｒｙ  ｎｕｔｒｉｅｎｔｓ；  Ｃａ，  Ｍｇ，  Ｓｉ，  Ｓ）、微量要素（ｍｉｃｒｏｎｕｔｒｉｅｎｔｓ；  Ｍｎ，  Ｂ，  Ｆｅ，  Ｃｕ，  Ｚｎ，  Ｍｏ，  Ｃｌ，その他）が植物等の生育に必要（必須ミネラル）とされ、培地として供給が考慮されている。しかし、ミネラルの種類は１００種以上におよび、必須のミネラルが必要量供給されているとは言えないのが現状である。
【０００６】
その結果、水圏土壌圏中のミネラル不足が多くの場合発生している。その場合極微量の必須ミネラルの不足によって重篤な症状（センチュウ（ｎｅｍａｔｏｄｅ）などによる連作障害、ウイルス発生による養殖魚介類の大量死等）が多くの場合生じ、健全な食物連鎖を崩す有害な優占種の発生を見る。活性汚泥法による糸状性バルキング（Ｚｏｏｇｌｏｅａ  ｂｕｌｋｉｎｇ）の発生（須藤隆一、廃水処理の生物学、３１１、産業用水調査会（１９７７）、土木学会衛生工学委員会編、環境微生物学工学研究法、技報堂出版（１９９３））、湖沼の藻類の発生（渡辺真利代、原田健一、藤木博太編、アオコその出現と毒素、東京大学出版会（１９９４））、赤潮の発生、畑でのシストセンチュウの発生（三枝敏郎、センチュウ、農文協（１９９３））、松幹でのマツノザイセンチュウの発生、エビ養殖池でのウイルスによる大量死（Ｃ．Ｊ．Ｓｉｎｄｅｒｍａｎｎ，  Ｄ．Ｖ．Ｌｉｇｈｔｎｅｒ  ｅｄ．，  Ｄｅｖｅｌｏｐｍｅｎｔｓ  ｉｎ  Ａｑｕａｃｕｌｔｕｒｅ  ａｎｄ  Ｆｉｓｈｅｒｉｅｓ  Ｓｃｉｅｎｃｅ，  １７，  Ｄｉｓｅａｓｅ  Ｄｉａｇｎｏｓｉｓ  ａｎｄ  ｃｏｎｔｒｏｌ  ｉｎ  Ｎｏｒｔｈ  Ａｍｅｒｉｃａｎ  Ｍａｒｉｎｅ  Ａｑｕａｃｕｌｔｕｒｅ，  Ｅｌｓｅｖｉｅｒ，  Ａｍｓｔｅｒｄａｍ，  （１９８８））、キノコ（Ａｇａｒｉｃｕｓ  ｂｌａｚｅｉ  Ｍｕｒｒｉｌｌ）栽培中の青かび（Ｔｒｉｃｏｄｅｒｍａ  ｓｐ．，  Ａｓｐｅｒｇｉｌｌｕｓ  ｓｐ．，Ｐｅｎｉｃｉｌｌｉｕｍ  ｓｐ．）の発生等がミネラルバランスの欠如によって引き起こされている。ガン細胞の増殖、アトピー性皮膚炎症、花粉症等もミネラルバランスの欠如が誘因となっているといえる（崔昌禄、ガン治療の決定打、特効薬はミネラルだった、現代書林（１９９１））。
【０００７】
人体に関しては、ミネラル不足は、皮膚表皮、体内の免疫作用の低下、アトピーの発生、成人病の発症等様々な症状が発現する。従来、発明者は深層海水成分を用いた、清涼飲料、水質浄化剤、土壌活性剤等を提唱している（特開平１０−１５０９６０，１０−１５１４７２，１０−１５２６８１，  ＵＳ  ＰＡＴ  ６，２５４，８００Ｂ１）。
【０００８】
本発明者は水圏、土壌圏、気層圏の諸問題を解決するため、深層水から塩化ナトリウムを得た後に副産物として得られる苦汁をミネラル源（微量要素源）として着目して種々化学的処理を行った結果、本発明に到達したものである。また、本発明は、苦汁／稀土鉱石／トルマリン／長石とよりなる放射線発生体の作用で土壌活性剤に使用する水、油、溶剤等の分子のクラスター構造の更なる微細化（構造化（ｓｔｒｕｃｔｕｒｉｚａｔｉｏｎ））をなす性質を利用して、苦汁に対して種々化学的処理を行った結果、本発明に到達したものである。
【０００９】
【課題を解決するための手段】
即ち、本発明の請求項１の発明は、苦汁／稀土鉱石／トルマリン／長石とよりなる放射線発生体に関するものである。
【００１０】
本発明の請求項２の発明は、発生体中の苦汁成分０−３０重量％に対して、稀土鉱石０−１００重量％、トルマリン０−３０重量％、長石０−７０重量％である請求項１記載の放射線発生体に関するものである。
【００１１】
本発明の請求項３の発明は、請求項２記載の放射線発生体の微粉末を釉薬または、塗料として井桁状に組み上げたタイルの表裏に塗布し焼き上げた陶磁器の形状をした放射線発生体に関するものである。
【００１２】
本発明の請求項４の発明は、苦汁／稀土鉱石／トルマリン／長石とよりなる土壌活性剤に関するものである。
【００１３】
本発明の請求項５の発明は、土壌活性剤中の苦汁成分０−３０重量％に対して、稀土鉱石０−５０重量％、トルマリン０−９０重量％、長石０−５０重量％である請求項４記載の土壌活性剤に関するものである。
【００１４】
本発明の請求項６の発明は、請求項５記載の環境浄化剤の微粉末をボール状に焼き上げた陶磁器の形状をした土壌活性剤に関するものである。
【００１５】
本発明の請求項７の発明は、請求項５記載の微粉末を円筒状支持体に塗布した形状の土壌活性剤に関するものである。
【００１６】
本発明の請求項８の発明は、苦汁と酸／塩基／塩とよりなる土壌活性剤に関するものである。
【００１７】
本発明の請求項９の発明は、土壌活性剤中の苦汁成分量が０−１００重量％、酸／塩基／塩、０−１０重量％である請求項８記載の土壌活性剤に関するものである。
【００１８】
本発明の請求項１０の発明は、請求項８記載の土壌活性剤に、ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘ  ｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓ  Ｌ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅ  ｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）から選ばれた１種若しくは２種以上の沿岸帯植物の乾燥粉末を加えた土壌活性剤に関するものである。
【００１９】
本発明の請求項１１の発明は、請求項８記載の土壌活性剤に、アリシン（Ａｌｌｉｃｉｎ：  ２−ｐｒｏｐｅｎｅ−１−ｓｕｌｆｉｎｏｔｈｉｏｉｃ  ａｃｉｄ  Ｓ−２−ｐｒｏｐｅｎｙｌ  ｅｓｔｅｒ；  ｔｈｉｏ−２−ｐｒｏｐｅｎｅ−１−ｓｕｌｆｉｎｉｃ  ａｃｉｄ  Ｓ−ａｌｌｙｌ  ｅｓｔｅｒ）１０−２００００ｐｐｍを加えた土壌活性剤に関するものである。
【００２０】
本発明の請求項１２の発明は、請求項８記載の土壌活性剤に、塩基性多糖（キチン（ｃｈｉｔｉｎ）、キトサン（ｃｈｉｔｏｓａｎ）、キチン誘導体、キトサン誘導体）を１０〜２００００ｐｐｍを加えた土壌活性剤に関するものである。
【００２１】
本発明の請求項１３の発明は、苦汁に、木酢液２−３０重量％を加えた土壌活性剤に関するものである。
【００２２】
本発明の請求項１４の発明は、請求項８記載の土壌活性剤に、ゲル化剤を１−２０重量％加えた土壌活性剤に関するものである。
【００２３】
本発明の請求項１５の発明は、請求項５記載の土壌活性剤に、ゲル化剤を１−２０重量％加えた土壌活性剤に関するものである。
【００２４】
本発明の請求項１６の発明は、苦汁と酸／塩基／塩および、セルラーゼとよりなる土壌活性剤剤に関するものである。
【００２５】
本発明の請求項１７の発明は、土壌活性剤中の苦汁成分量が０−１００重量％、酸／塩基／塩、０−１０重量％、セルラーゼ０−１０重量％である請求項１６記載の土壌活性剤剤に関するものである。
【００２６】
本発明の請求項１８の発明は、請求項１、２および、３記載の放射線発生体と、直接的および／または、間接的に接触したことを特徴とする、請求項４〜１７記載の土壌活性剤に関するものである。
【００２７】
本発明の請求項１９の発明は、海面下２００メートル以上の深海から取水した深層海水、湧昇海水または、深層水を濃縮して得られる苦汁を利用して製造される請求項１−６記載の放射線発生体および、請求項７〜１８記載の土壌活性剤に関するものである。
【００２８】
【発明の実施の形態】
本発明の土壌活性剤は、深層水（ｄｅｅｐ  ｌａｙｅｒ  ｗａｔｅｒ）［海面下２００メートル以上の深海から取水した深層海水（ｄｅｅｐ  ｓｅａ  ｗａｔｅｒ）、湧昇海水（ｕｐｗｅｌｌｉｎｇ）または、深層水（ｄｅｅｐ  ｌａｙｅｒ  ｗａｔｅｒ）］を濃縮して得られる苦汁（ｂｉｔｔｅｒｎ）を利用したものである。また、含まれる従来にない多様なミネラルが水圏・土壌圏・気層圏・宇宙圏等様々な人間の生存環境に対して本質的・固有の食物連鎖を構築する土壌活性剤に関するものである。さらに、本発明は、請求項１〜６記載の苦汁／稀土鉱石／トルマリン／長石とよりなる放射線発生体が、請求項７〜１９記載の土壌活性剤と直接または／および、間接的に接触することによって、クラスターが微細化（構造化）される作用を有する土壌活性剤を得たものである。ここで用いられる深層水はいずれも滞留時間が長く、また、食物連鎖の中で栄養分の連環消費がなされていない原海水であることが必要である。
【００２９】
本発明で利用する稀土鉱石は、フェルグソン鉱石等であり、トリウム１．８％以下、ウラン０．６％以下である。放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【００３０】
本発明で利用するトルマリン（ｔｏｕｒｍａｌｉｎｅ）は、電気石とも称されるものであり、その代表的な化学組成は、３（ＮａＸ３Ａｌ６（ＢＯ３）Ｓｉ６Ｏ１８（ＯＨＦ）４）（Ｘ＝Ｍｇ，  Ｆｅ，  Ｌｉ，  Ａｌ等）である（久保哲治郎、新しい水の科学と利用技術、３０３（１９９２））。
【００３１】
本発明で添加する長石は、化学組成がＳｉＯ２  ５６．５９％，  Ａｌ２Ｏ３  １２．６０％，  Ｆｅ２Ｏ３  ０．３４％，  ＣａＯ  ０．４０％，  ＭｇＯ  ０．１５％，  Ｎａ２Ｏ  ２．４１％，  Ｋ２Ｏ  ７．７５％，  Ｕ３Ｏ８  ０．０１％，  ＴｈＯ２  １．４２％  Ｒ２Ｏ３  （Ｔｏｔａｌ  ｒａｒｅ  ｅａｒｔｈ）  １２．００％，  ＺｙＯ２  ０．３０％，  Ｐ２Ｏ５  ５．６２％  のものである。
【００３２】
放射線発生体をマルチチャンネル波高分析器によるγ線スペクトル測定したところ、ウラン系列核種とトリウム系列核種から放出されるγ線が検出された。ウラン系列核種では、親核種２３８Ｕの娘核種である２２６Ｒａ，  ２１４Ｐｂ，  ２１４Ｂｉから放出されるγ線が検出された。また、トリウム系列核種では親核種２３８Ｔｈの娘核種である２２８Ａｃ，  ２１２Ｐｂ，  ２１２Ｂｉ，  ２０８Ｔｌから放出されるγ線が検出された。これらの核種について放射能濃度および、放射平衡を仮定したときの系列親核種の質量濃度を計算した。
【００３３】
ウラン系列
核種  γ線のエネルギー（ＫｅＶ）  放射能濃度  放射平衡成立時Ｕ濃度（％）
２２６Ｒａ            １８６．０                ０．８９±０．２１        ０．００７５±０．００１７
２１４Ｐｂ            ３５２．０                ０．８８±０．０６        ０．００７４±０．０００５
２１４Ｂｉ            ６０９．３                ０．８６±０．０６        ０．００７１±０．０００５
【００３４】
トリウム系列
核種  γ線のエネルギー（ＫｅＶ）  放射能濃度  放射平衡成立時Ｔｈ濃度（％）
２２８Ａｃ            ９１１．２                ６．９±０．２        ０．１７±０．０５
２１２Ｐｂ            ３００．１                ６．８±０．６        ０．１７±０．０２
２１２Ｂｉ            ７２７．２                ６．４±０．５        ０．１６±０．０１
２０８Ｔｌ            ５８３．１                ２．６±０．０６        ０．１８±０．０４
【００３５】
これらの結果は、ウラン、トリウム濃度とも安全基準値の１／１００に収まっている。放射能濃度についても届出値（３７０Ｂｑ／ｇ）を下回るものである。
【００３６】
放射線発生体をｐＨ０．８−ｐＨ１３の範囲で溶出試験を行い放射線量を測定したところ、いずれもトリウム、ウラン等放射性物質の溶出を認めなかった。
【００３７】
放射線発生体と水を直接または、間接的に接触させた場合、水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成（構造化〈ｓｔｒｕｃｔｕｒｉｚｅｄ〉）が認められる。（綿貫邦彦、久保田昌治監修、新しい水の科学と利用技術、２１７，  ２３７，  ２６３  サイエンスフォーラム（１９９２））
【００３８】
稀土鉱石、トルマリン、長石等に含まれるトリウム（Ｔｈ）、ウラン（Ｕ）系列核種等の放射性壊変によって発生するα線、β線や、残留核（Ｒｎ等：数百ｅＶの反跳エネルギーを有する）は水等と反応して、その化学結合（数ｅＶ）や水分子間の水素結合（ｈｙｄｒｏｇｅｎ  ｂｏｎｄ）やファンデルワールス力（Ｖａｎ  ｄｅｒ  Ｗａａｌｓ  ｆｏｒｃｅ）を切断することによって、より微細なクラスター形成（構造化〈ｓｔｒｕｃｔｕｒｉｚａｔｉｏｎ〉）へと移行する。一方、深層海水に含まれるミネラルイオンは水分と水和（ｓｏｌｖａｔｉｏｎ）しやすい。深層海水に含まれるミネラルの場合、二次要素（ｓｅｃｏｎｄａｒｙ  ｎｕｔｒｉｅｎｔｓ；  Ｃａ，  Ｍｇ，  Ｓｉ，  Ｓ）、微量要素（ｍｉｃｒｏｎｕｔｒｉｅｎｔｓ；  Ｍｎ  ，Ｂ，  Ｆｅ，  Ｃｕ，  Ｚｎ，  Ｍｏ，  Ｃｌ，  その他）が豊富に含まれ（野崎義行、現代海洋化学の展望、海洋、号外  Ｎｏ．８，  ５  （１９９５））微細なクラスターを形成して活性化されている。放射性壊変によって発生するα線、β線や、残留核は水和ミネラルイオンの微細クラスターと反応して、水素結合やファンデルワールス力（Ｖａｎ  ｄｅｒ  Ｗａａｌｓ  ｆｏｒｃｅ）を切断することによって、さらに微細なクラスター形成へと作用する。ミネラルイオンを核に水和した水はより安定な微細クラスターを形成する（構造化〈ｓｔｒｕｃｔｕｒｉｚａｔｉｏｎ〉）。水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ）、電磁場照射、核磁気共鳴等によっても可能であり、深層水、濃縮深層水、稀釈水、純水、蒸留水等を直接的または／および、間接的にこれら各種照射をすることによって容易に構造化される（綿抜邦彦、久保田昌治監修、新しい水の科学と利用技術、（１９９２）サイエンスフォーラム）。
【００３９】
通常、海洋の表層部に存在する海水のＩＣＰ分析は以下の通りである：  Ｎａ  １０７７０，  Ｍｇ  １２９０，  Ｓ  ９０５，  Ｃａ  ４１２，  Ｋ  ３８０，  Ｓｒ  ８，  Ｂ  ４．４４，  Ｓｉ  ２，  Ｌｉ  ０．１８，  Ｒｂ  ０．１２，  Ｍｏ  ０．０１，  Ｚｎ  ０．００４９，  Ａｓ  ０．００３７，  Ｕ  ０．００３３，  Ｖ  ０．００２５，  Ａｌ  ０．００２，  Ｆｅ  ０．００２，  Ｂａ０．００２，  Ｎｉ  ０．００１７，  Ｔｉ  ０．００１，  Ｃｓ  ０．０００４，  Ｃｒ  ０．０００３，  Ｓｂ  ０．０００２４，  Ｍｎ  ０．０００２，  Ｓｅ  ０．０００２，  Ｗ  ０．０００１，  Ｃｏ  ０．００００５，  Ｇｅ  ０．００００５，  Ｃｕ  ０．００００３，  Ｇａ  ０．００００３，  Ｚｒ  ０．００００３，  Ｔｌ  ０．００００２，  Ｂｉ  ０．００００２，  Ｎｂ  ０．００００１，  Ｓｎ  ０．００００１，  Ｐｂ  ０．００００１，  Ｂｅ  ０．０００００５６，  Ａｕ  ０．０００００４，  Ｌａ  ０．０００００３１，  Ｎｄ  ０．０００００２５，  Ｔａ  ０．０００００２，  Ｈｇ  ０．０００００２，  Ｃｅ  ０．０００００１２，  Ｃｄ  ０．００００００５，  Ｙ０．００００００１３，  Ａｇ  ０．０００００００６  （ｐｐｍ）。
【００４０】
海洋の深層部に存在する海水のＩＣＰ分析は以下の通りである：  Ｎａ  １１０５５，  Ｍｇ  １３２０，  Ｓ  ２６３６，  Ｃａ  ４１０，  Ｋ  ３７２，  Ｓｒ  ８．１，  Ｂ  ４．７，  Ｓｉ  ２．５，  Ｌｉ  ０．１８，  Ｒｂ  ０．１２，  Ｍｏ０．００５５，  Ｚｎ  ０．００２２，  Ａｓ  ０．００２６，  Ｖ  ０．００１，  Ａｌ  ０．００７８，  Ｆｅ  ０．０２，  Ｂａ  ０．００８，  Ｎｉ０．０００６，  Ｃｒ  ０．０００６，  Ｍｎ  ０．００１３，  Ｓｅ  ＜０．０００２，  Ｃｏ  ０．００００４，  Ｇｅ  ＜０．０１，  Ｃｕ  ０．０００１２，  Ｓｎ  ＜０．００００２，  Ｐｂ  ０．００００３，  Ｈｇ  ＜０．００００２，  Ｃｄ  ０．００００６  （ｐｐｍ）。
【００４１】
海洋深層水は、極地より深海溝に沈み込んだ海流が、長い滞留時間を経て回流する水であり、源流はアイルランド沖が有名であり、その他いくつか発見されている。その存在は、１９９１年に海水大循環ベルトコンベアモデルとしてＢｒｏｅｃｋｅｒによって提唱されたものである。海洋深層水の特徴は、表層水と異なり一般に、Ｂｅ，  Ｓｃ，  Ｔｉ，  Ｆｅ，  Ｎｉ，  Ｃｕ，  Ｚｎ，  Ｇａ，  Ｇｅ，  Ｓｅ，  Ｙ，  Ｚｙ，  Ｒｈ，  Ｐｄ，  Ａｇ，  Ｃｄ，  Ｂａ，  Ｈｇ，  Ｐｏ，Ｒｎ，  Ｒａ，  Ｌａ，  Ｐｒ，  Ｎｄ，  Ｓｍ，  Ｅｕ，  Ｇｄ，  Ｔｂ，  Ｄｙ，  Ｈｏ，  Ｅｒ，  Ｔｍ，  Ｙｂ，  Ｌｕ，  Ａｃ  等の存在比が高く、Ａｌ，  Ｍｎ，  Ｃｏ，  Ｉｎ，  Ｓｎ，  Ｔｅ，  Ｐｂ，  Ｂｉ，  Ｔｈ，  Ｐｕ，  Ａｍ等の存在比が低い。また、重同位元素の存在比が高い（野崎義行、現代海洋化学の展望、海洋、号外  Ｎｏ．８，  ５  （１９９５））。
【００４２】
生体内における様々な反応は液層反応である。溶媒（ｓｏｌｖｅｎｔ）としては水が中心となっている。水が、より小さなクラスターによる階層構造を形成し安定化すると、ここで安定化エネルギーが得られる。この安定化エネルギーが、構造水の大きな波動放出の源である。ここで、基質（ｓｕｂｓｔｒａｔｅ）や、試薬（ｒｅａｇｅｎｔ）、ミネラル等が存在した場合、水和（ｓｏｌｖａｔｉｏｎ）によって安定化され、反応の自由エネルギー差（ΔＧ゜：ｓｔａｎｄａｒｄ  ｆｒｅｅ  ｅｎｅｒｇｙ  ｄｉｆｆｅｒｅｎｃｅ）を減少させる。この安定化エネルギーの差は生体内の酵素反応速度を最大１００倍程度（ｐＫａにして約２）高める効果を有する。
【００４３】
酵素、ミネラル等の様々な基質、試薬等は構造水を結合している。これら試薬等が構造水や自由水（ｆｒｅｅ  ｗａｔｅｒ）の中に分散している構造が、水溶液である。水溶液中の、自由水に対する構造水の割合が大きくなるほど、生体反応に限らず、様々な素反応（ｒｅａｃｔｉｏｎ）にとってエネルギー的に有利となる。深層水とは、各種ミネラルを溶質（ｓｏｌｕｔｅ）とした構造水の一形態にすぎない。構造化の割合が最も大きい部類に属する水として深層水は考えられる。深層水のミネラル構成比（ｍｉｎｅｒａｌ  ｖａｌｅｎｃｅ）は表層水（ｓｕｒｆａｃｅ  ｓｅａ  ｗａｔｅｒ）と微妙に異なる。生命発生の由来から、生体反応には深層水のミネラルバランスの方がより適しているといえよう。
【００４４】
本土壌活性剤に利用される濃縮深層水のＩＣＰ発光分析法による定量分析結果は以下のとおりである：Ｎａ  ６３０，  Ｍｇ  ２６３７，  Ｓ  ８３７，  Ｃａ  １．３８６，  Ｋ  ５９７，  Ｂ  ７．８，  Ｌｉ  １．０１７，  Ｚｎ  ０．０００４８，  Ａｌ  ０．０１１，  Ｆｅ  ０．０１４７，  Ｍｎ  ０．０８１３，  Ｒｂ，  Ｍｏ，  Ａｓ，  Ｖ，  Ｂａ，  Ｎｉ，Ｔｉ，  Ｃｓ，  Ｃｒ，  Ｓｂ，  Ｓｅ，  Ｗ，  Ｃｏ，  Ｇｅ，  Ｃｕ，  Ｇａ，  Ｚｒ，  Ｔｌ，  Ｂｉ，  Ｎｂ，  Ｓｎ，  Ｐｂ，  Ｂｅ，  Ａｕ，  Ｔａ，  Ｈｇ，  Ｃｄ，  Ｙ，  Ａｇ  ＜  ０．００００１  （ｐｐｍ）．  ｐＨ＜３．
【００４５】
また、本濃縮深層水のマウスに対する急性毒性試験（経口）結果はマウス経口投与  ２０  ｍｌ／ｋｇ体重で死亡例を認めない。ただし、試験動物は  ｄｄｙ系、５週齢の雄マウス、１群１０匹を使用した。
【００４６】
１０００−１００００倍希釈液を  ２４  時間常温放置下後ミネラルウォーター類の原水の規格基準への適否を試験した：  一般細菌：  ０  個／ｍｌ、大腸菌群：不検出、Ｃｄ＜０．００１，  Ｈｇ＜０．０００５，  Ｓｅ＜０．００１ｌ，  Ｐｂ＜０．００５，  Ｂａ＜０．１，  Ａｓ＜０．００５，  Ｃｒ（ＶＩ）＜０．００５，  ＣＮ＜０．０１，  ＮＯ２  ＋  ＮＯ  ＜  ２．６，  Ｆ＜０．１，  Ｈ３ＢＯ４＜１．０，  Ｚｎ＜０．００５，  Ｃｕ＜０．０１，  Ｍｎ＜０．００５，  有機物等  ＜  ２．２，  硫化物＜０．０５  （ｍｇ／ｌ）。
上記試験項目については、ミネラルウォーター類の原水の規格基準に適合する。
【００４７】
本濃縮深層水を任意の希釈下に土壌活性剤に加えた場合、微細なクラスターを形成し、表層水圏、表層土壌圏等にはない多様でバランスのよいミネラルが水圏、土壌圏に分布する微生物の至適な微量要素として取り込まれ、食物連鎖が構築される。本土壌活性剤を適当な希釈下に土壌圏に加えた場合、本土壌活性剤は当該圏内の微生物相、動植物相に作用し各相を活性化し、相の多様性の最適化を高める。
【００４８】
また、添加された酸、塩基、塩がミネラルをイオン化し、水の構造化（クラスターの形成）、酸素の活性化、溶存化、環境微生物とのミセル化を促進する。
【００４９】
本発明に供する苦汁は、深層水［海面下２００メートル以上の深海から取水した深層海水、湧昇流海水、深層水］から食塩を製造する際に副産物として得られるものであり、また、更に、様々な濃縮を繰り返した結果得られた苦汁を利用したものである。
【００５０】
本発明で添加する酸は、無機酸、有機酸、無機酸塩または有機酸塩であり、それらは単独で添加することも、あるいは併用することも可能である。それらの酸の一例としてはリン酸、硫酸、硝酸、塩酸等の無機酸、リン酸カリウム、リン酸マグネシウム、硫酸アンモニウム、硫酸カルシウム等の無機酸塩、クエン酸、コハク酸、酢酸、酪酸、イタコン酸、酒石酸ピルビン酸、リンゴ酸、フマール酸、オキザロ酢酸、シスアコニット酸、イソクエン酸、オキザロコハク酸、α−ケトグルタル酸、コーヒー酸、シナピン酸、クマール酸、カプリン酸、アスパラギン酸、ポリアクリル酸、木酢酸、エチドロン酸、含硫珪酸、グルタミン酸、珪酸、ペンテト酸、脂肪酸（ステアリン酸、ヒドロキシステアリン酸、ミリスチン酸、ラノリン酸、テトラオレイン酸、デヒドロ酢酸、パルミチン酸、ウンデシレン酸等）、ヒアルロン酸、エデト酸、ノナン酸、グリコール酸、タンニン酸トリＰＥＧ−８アルキル（Ｃ−１２−１５）リン酸、パーフルオロアルキルＰＥＧリン酸、ジラウレス−４リン酸、チオグリコール酸、ジチオグリコール酸、カルボン酸誘導体、フェノール誘導体、リン酸誘導体、スルホン酸誘導体等の有機酸がある。
【００５１】
塩の一例としては、酒石酸カリウムナトリウム、酢酸ナトリウム、クエン酸カリウム、クエン酸ナトリウム、コハク酸カルシウム、リンゴ酸マグネシウム、ポリアクリル酸ナトリウム、グリチルリチン酸２Ｋ、ココイルイセチオン酸Ｎａ、スルホコハク酸ラウレス２Ｎａ、ＤＮＡ−Ｋ、デヒドロ酢酸Ｎａ、銅クロロフィリンＮａ、ヒアルロン酸Ｎａ、ペンテト酸５Ｎａ、リン酸アスコルビルＭｇ、安息香酸Ｎａ、ＥＤＴＡ−２Ｎａ、ＥＤＴＡ−３Ｎａ、ＥＤＴＡ−４Ｎａ、塩化アルキルトリメチルアンモニウム、ベヘントリモニウムクロリド、塩化ジステアリルジメチルアンモニウム、ジステアリルジモニウムクロリド、塩素ステアリルジメチルベンジルアンモニウム、ステアラルコニウムクロリド、塩化ステアリルトリメチルアンモニウム、ステアルトリモニウムクロリド、塩化セチルピリジニウム、塩化ベンザルコニウム、塩化ベンゼトニウム、塩化ラウリルメチルアンモニウム、塩化リゾチーム、塩酸アルキルジアミノエチルグリシン、塩酸クロルヘキシジン、塩酸ジフェンヒドラミン、グアイアズレンスルホン酸Ｎａ、セチル硫酸Ｎａ、ＲＡＳ−ＮＡ、デヒドロ酢酸Ｎａ、ｐ−フェノールスルホン酸Ｚｎ、ポリオキシエチレンラウリルエーテル硫酸塩、ラウリル硫酸トリエタノールアミン、水添タロウグルタミン酸Ｎａ、Ｎ−ステアロイル−Ｎ−メチルタウリンＮａ、Ｎ−ミリストイル−Ｌ−グルタミン酸Ｎａ、ココイルグルタミン酸Ｋ、硬化牛脂脂肪酸アシル−Ｌ−グルタミン酸Ｎａ、Ｎ−ラウリルヒドロキシ酢酸アミド硫酸Ｎａ、ラウロアンホジ酢酸２Ｎａ／トリデセス硫酸Ｎａ、ラウロイルアスパラギン酸Ｎａ、ラウロイルグルタミン酸Ｋ、ラウロイルグルタミン酸Ｍｇ、ラウロイルトレオニンＫ、ラウロアンホジ酢酸２Ｎａ、ラウロアンホ酢酸Ｎａ、オクトキシノール−２−エタンスルホン酸Ｎａ、スルホコハク酸ＰＥＧ−２オレアミド２Ｎａ、スルホコハク酸ＰＥＧ−５ラウラミド２Ｎａ、スルホコハク酸ＰＥＧ−５オレアミド２Ｎａ、スルホコハク酸ラウリル２Ｎａ、セテアリル硫酸Ｎａ、オレフィン（Ｃ１４−１６）スルホン酸Ｎａ、パーム核脂肪酸アミドエチルヒドロキシエチルアミノプロピオン酸Ｎａ、ラウラミノプロピオン酸Ｎａ、ポリアクリル酸Ｎａ、ポリアクリル酸Ｋ、ポリアクリル酸Ｌｉ、ミリストイルメチルタウリンＮａ、ココイルサルコシンＮａ、ココイルタウリンＮａ、ココイルメチルアラニンＮａ、ココイルメチルタウリンＭｇ、ラウリミノジプロピオン酸Ｎａ、ラウリル硫酸Ｎａ、ラウロイルサルコシンＮａ、ラウロイルメチルアラニンＮａ、チオグリコール酸アンモニウム、チオグリコール酸モノエタノールアミン等の有機酸塩さらに、珪酸Ａｌ／Ｍｇ等の無機酸塩等があげられる。
【００５２】
また、本発明で添加する塩基は、無機塩基または、有機塩基であり、それらは単独で添加することも、あるいは併用することも可能である。それらの塩基や塩の一例としては水酸化ナトリウム、水酸化カルシウム、水酸化マグネシウム、水酸化カリウム、炭酸ナトリウム、炭酸カリウム、炭酸水素ナトリウム、炭酸水素カリウム、炭酸カルシウム、炭酸マグネシウム、アンモニア、アミン、重炭酸アンモニウム、臭素酸ナトリウム等の無機塩基、エステル化グリシルアラニン（Ｃ−末端エステル化ペプチド）、グルコサミン（アミノ糖）、ヒスチジン、アルギニン、アスパラギン、塩基性多糖（キチン、キトサン、キチン誘導体、キトサン誘導体）、アルカノールアミン誘導体（ジイソプロパノールアミン、ジエタノールアミン、トリイソプロパノールアミン、トリエタノールアミン）、アルキルアミン誘導体（メチルアミン、エチルアミン、ジエチルアミン、トリエチルアミン）等の有機塩基等があげられる。
【００５３】
また、本発明で添加する多糖体は、κーカラギーナン、グルコマンナン、コンニャクマンナン、寒天オリゴ糖、ポリアクリル酸ナトリウム、ポリアクリルアミド、フコイダン等があげられる。
【００５４】
苦汁と酸／塩基／塩との混合率は、苦汁０−１００重量％、酸／塩基／塩０−７０重量％が適当である。このことによって中和や緩衝効果が現れ、苦汁に含まれるカチオンまたは、アニオン濃度が充分となる。この範囲外では酸性土壌に対する緩衝作用が低下し、イオン濃度が充分でない。酸アニオンとしては、リン酸および／または、硫酸の添加が構造化を活性化する。
【００５５】
本土壌活性剤を作物に葉面散布した場合、酸素の溶存化を促進し土壌の通気性、保水性、保肥性の増進に寄与し、葉腐れ、根腐れが治癒するのみならず、害虫の繁殖が防止でき、更に糖度を増した作物を収穫することができる。
【００５６】
本発明の深層水［海面下２００メートル以上の深海から取水した深層海水、湧昇海水または、深層水］を濃縮して得られる苦汁の微生物、動植物、魚介類、哺乳類等に対する一般的な効果としては、以下のような効果が認められる。１．水圏、土壌圏の好気性菌、通性菌の生育を促進する。２．有機物、荷電粒子の凝集作用を有する。３．浄化水中の食物連鎖を高める。４．水圏、土壌圏の植物、動物、魚類の生育促進作用を有する。５．飲料水をミネラルウォーターに変える。６．風呂水の鉱泉水化が起きる。皮膚への温泉効果が現れ、血流が盛んになり、湯冷めし難い。７．炊飯水に添加することによってふっくらと炊きあがり、炊き立て飯の味が２−３日間持続する。８．水産養殖池に添加する事によって、水質浄化、ウイルスの発生を抑制、ヘドロの発酵を抑制、藻類の発生を抑制等の効果を有する。養殖エビ、魚類の健全化、巨大化等の効果が現れる。また、ウイルスフリー（ｖｉｒｕｓ−ｆｒｅｅ）の稚エビ、親エビの生産が可能となる（参考文献：  Ｅ．  Ｉｄａｋａ  ｅｔ  ａｌ．，  Ａｐｐｌｉｃａｔｉｏｎ  ｏｆ  ａｅｒａｔｅｄ  ｂｉｏ  ｓｈｅｌｆ  ｐｕｒｉｆｉｃａｔｉｏｎ  ｔｏ  ｐｏｎｄｓ  ａｎｄ  ｌａｋｅｓ，  Ｒｅｓｅａｒｃｈ  Ｒｅｐｏｒｔ  ｏｆ  Ｃｅｎｔｅｒ  ｆｏｒ  Ｃｏｏｐｅｒａｔｉｖｅ  Ｒｅｓｅａｒｃｈ，  Ｇｉｆｕ  Ｕｎｉｖｅｒｓｉｔｙ，  （２），  ６２−６９  （１９９２），  Ｉ．  Ｈｏｒｉｕｃｈｉ，  Ｅ．  Ｉｄａｋａ  ｅｔ  ａｌ．，  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ，  （Ｔｈａｉｌａｎｄ−Ｊａｐａｎ  Ｂｉｌａｔｅｒａｌ  Ｓｅｍｉｎａｒ  ｏｎ  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ．  Ｓｅｐｔ．  ３０．  １９９２．  Ｅａｓｔｅｒｎ  Ｈｏｔｅｌ，  Ｃｈａｎｔａｂｕｌｉ，  Ｔｈａｉｌａｎｄ，  Ｏｒｇａｎｉｚｅｄ  ｂｙ  Ｍｉｎｉｓｔｒｙ  ｏｆ  Ａｇｒｉｃｕｌｔｕｒｅ  ａｎｄ  Ｃｏｏｐｅｒａｔｉｖｅｓ．，  Ｂａｎｋ  ｏｆ  Ａｙｕｄｈｙａ．），  Ｉ．  Ｈｏｒｉｕｃｈｉ，  Ｅ．  Ｉｄａｋａ，  Ｓ．  Ｋｏｍｕｒａ，  Ａｄｖａｎｃｅｄ  ｂｉｏｔｅｃｈｎｉｃａｌ  ｔｒｅａｔｍｅｎｔ  ｏｆ  ｗａｔｅｒ  ｉｎ  ｉｎｔｅｎｓｉｖｅ  ｐｒａｗｎ  ｃｕｌｔｕｒｅ  ｓｙｓｔｅｍ，  １９ｔｈ  Ｃｏｎｇｒｅｓｓ  ｏｎ  Ｓｃｉｅｎｃｅ  ａｎｄ  Ｔｅｃｈｎｏｌｏｇｙ  ｏｆ  Ｔｈａｉｌａｎｄ，  ８９ｐ，  （２７−２９，  Ｏｃｔ．，  １９９３，  Ｄｕｓｉｔ  Ｊ．  Ｂ．  Ｈｏｔｅｌ，  Ｈａｔ  Ｙａｉ，  Ｓｏｎｇｋｈｌａ））９．害虫の忌避効果を示す。１０．活魚輸送の際噴霧（クルマエビ）、水に添加（魚介類）で長時間輸送可能。１１．人畜屎尿の迅速処理、無臭化が可能。１２．河川湖沼の汚染水の浄化が可能。１３．水産加工廃水の凝集、微生物分解作用による浄化が可能。１４．酵母や微生物の増殖を促進する。１５．漬け物、納豆、みそ、醤油、アルコール類（アルコール、日本酒、焼酎、ウイスキー、ワイン、紹興酒、テキーラ、どぶろく、ビール、発泡酒）の発酵を促進する。１６．化粧水等に添加する事によって皮膚、毛根細胞の代謝活性化が計られる。１７．ミネラルウォーター（ナチュラルウォーター、ミネラルウォーター、ボトルドウォーター、飲料水）の味覚を向上し、円やかなものにする。１８．料理、食品（インスタント食品、加工食品、生鮮食品、魚介類、野菜、乳児食品、離乳食、家禽用・家畜用・ペット・昆虫用食品）、健康食品（ＡＨＣＣ、ＥＰＡ、ＤＨＡ、ＳＯＤ酵素、ＤＮＡ核酸、亜鉛、アガリクス、アセロラ、アマチャズル、アミノ酸、アルファルファ、アロエ、アントシアニン、イチジク（無花果）、イチョウ葉エキス、イソフラボン、ウーロン茶、ウコン、ウラジロ、大麦若葉エキス、オリゴ糖、カイアポイモ、ガウクルア、カキ肉エキス、カキの葉、核酸、ガジュツ、カテキン、カモミール（カモマイル）、カリン、カルシウム、ガルシニア、カワラケツメイ、甘草、きび酢、キトサン、ギムネマ、キャッツクロー、グァバ茶、クコ、クマ笹、グルコサミン、グルコマンナン、黒ゴマ、黒砂糖、黒酢、黒大豆、クロレラ、桑の葉、ケール、ケフィア、ゲンノショウコ、玄米、高麗人参、ココア、米胚芽、コラーゲン、コンドロイチン、こんぶ、サイリウム、ザクロ、サフラン、サメの軟骨、山査子、しじみエキス、シソ、シベリアジンセン、ジュアール、シリマリン、深海鮫エキス、スギナ、スクアレン、スッポン、スピルリナ、西洋オトギリ草（セントジョーンズワート）、センナ、タウリン、タラの芽、鉄（ヘム鉄・非ヘム鉄）、田三七人参、田七人参、甜茶（てんちゃ）、天麻、冬虫夏草、ドクダミ、杜仲茶、納豆（菌）、納豆キナーゼ、日本山人参、乳酸菌、乳糖、ニンニク、根コンブ、ノコギリヤシエキス、梅肉エキス、ハチの子、はちみつ、ハトムギ、バナバ茶、ハブ茶、ビール酵母、ヒアルロン酸、ひじき、ビフィズス菌、姫マツタケ、ビワの葉、プアール茶、プエラリア、ふかひれ軟骨、ぶどうの種、プラセンタ、フラボノイド、ブルーベリー、プルーン、プロポリス、ペイチー茶、紅麹、紅人参、まいたけ、マカ、松の花粉、松葉エキス、マテ茶、ミツロウ、ムコ多糖類、紫イペ、めぐすりの木、免疫ミルク、木酢液、モロヘイヤ、もろみ酢、ヤツメウナギ、ヤーコン、ユズの種、ヨーグルトきのこ、ヨモギ、羅漢果、羅布麻茶、卵黄油、リコピン、リンゴ酢、ルイボス茶、ルテイン、霊芝、ローヤルゼリー）、ジュース、コーヒー、茶紅茶、烏龍茶、昆布茶、笹茶、玉露、番茶、緑茶、鳩麦、大麦、柿、ドクダミ、レイシ、アガリクス、冬虫夏草、茸類、プーアール茶、）、アルコール類（アルコール、日本酒、焼酎、ウイスキー、ワイン、紹興酒、テキーラ、どぶろく、ビール、発泡酒）、アルコール飲料、乳飲料及び、炭酸飲料に添加した場合その味覚を向上し、円やかなものにする。１９．化粧水等に添加することによって、アトピー、エイズ、皮膚病、肩こり等の改善、シミ・そばかす・くすみ・ほくろの除去等に効果が現れる。
【００５７】
本発明の土壌活性剤に利用される、深層水［海面下２００メートル以上の深海から取水した深層海水、湧昇海水または、深層水］を濃縮して得られる苦汁の比重（ｄ）は  １．０１−１．６５  の範囲にある。円やかさ等の味覚は当該苦汁の比重（ｄ）に大きく影響を受ける。以下に、苦汁の比重（ｄ）と微生物、キノコのコロニーの生育速度（ｍｍ／ｄａｙ）との関係を示す。
【００５８】
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．５  （ｄ＝１．２），  ０．５５  （ｄ＝１．３），  ０．６２  （ｄ＝１．４）（単位  ｍｍ／ｄａｙ）。従って、苦汁の至適比重は１．４である。
【００５９】
アガリクス・フィアルディー・ペグラー（Ａｇａｒｉｃｕｓ  ｆｉａｒｄｉｉ  Ｐｅｇｌｅｒ）のＳＭＹ寒天培地上におけるコロニーの生育速度は次に示すとおりである：  ０．４  （ｃｏｎｔｒｏｌ），  ０．４８  （ｄ＝１．２），  ０．５３  （ｄ＝１．３），  ０．６０  （ｄ＝１．４）（単位  ｍｍ／ｄａｙ）従って、苦汁の至適比重は  １．４  である。
【００６０】
冬虫夏草（Ｃｏｒｄｙｃｅｐｓ  ｓｉｎｅｎｓｉｓ  （Ｂｅｒｋｌｅｙ）  Ｓａｃｃａｒｄｏ）のＳＭＹ寒天培地上におけるコロニーの生育速度は次に示すとおりである：  ０．２６  （ｃｏｎｔｒｏｌ），  ０．３０  （ｄ＝１．２），  ０．３５  （ｄ＝１．３），  ０．４０  （ｄ＝１．４）（単位  ｍｍ／ｄａｙ）従って、苦汁の至適比重は  １．４  である。
【００６１】
アエロモナス・ハイドロフィラ・２４Ｂ（Ａｅｒｏｍｏｎａｓ  ｈｙｄｒｏｐｈｉｌａ  ｖａｒ．  ２４Ｂ）は発明者によって染色工場排水溝の汚泥中より単離・命名された微生物である。２４Ｂ株のＳＭＹ寒天培地上におけるコロニーの生育速度は次に示すとおりである：  ０．２４  （ｃｏｎｔｒｏｌ），  ０．３  （ｄ＝１．２），  ０．３４  （ｄ＝１．３），  ０．４２  （ｄ＝１．４）（単位  ｍｍ／ｄａｙ）。従って、苦汁の至適比重は１．４である。（参考文献：Ｅ．  Ｉｄａｋａ  ｅｔ  ａｌ．，  Ｄｅｇｒａｄａｔｉｏｎ  ｏｆ  ａｚｏ  ｃｏｍｐｏｕｎｄｓ  ｂｙ  Ａｅｒｏｍｏｎａｓ  ｈｙｄｒｏｐｈｉｌａ  ｖａｒ．  ２４Ｂ，  Ｊ．  Ｓｏｃ．  Ｄｙｅｒｓ  Ｃｏｌｏｕｒ．  ｖｏｌ．９４，  ９１−９４  （１９７８））
【００６２】
植物色素ゼブリニン（ｚｅｂｒｉｎｉｎ）は発明者によって発見命名・構造決定されたアシル化アントシアニンである。ｐＨ６．５での、５日後の色素の安定性は以下の通りである：５５％（ｃｏｎｔｒｏｌ），  ５８％（（ｄ＝１．２），  ６４％（ｄ＝１．３），  ６８％（ｄ＝１．４）。従って、苦汁の至適比重は１．４である。（参考文献：Ｅ．  Ｉｄａｋａ  ｅｔ  ａｌ．，  Ｓｔｒｕｃｔｕｒｅ  ｏｆ  ｚｅｂｒｉｎｉｎ，  ａ  ｎｏｖｅｌ  ａｃｙｌａｔｅｄ  ａｎｔｈｏｃｙａｎｉｎ  ｉｓｏｌａｔｅｄ  ｆｒｏｍ  Ｚｅｂｒｉｎａ  ｐｅｎｄｕｌａ，  Ｔｅｔｒａｈｅｄｒｏｎ  Ｌｅｔｔ．，  ｖｏｌ．２８  （１７）  １９０１−１９０４  （１９８７））
【００６３】
本発明の苦汁の至適  ｐＨを  ｐＨ  ５−１１  の範囲で調べた。ｐＨ  調整は鉱酸混合液（リン酸：硫酸（２：１））または、水酸化カルシウムを用いた。
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．２  （ｐＨ５），  ０．３  （ｐＨ６），  ０．５４  （ｐＨ６．５），  ０．５０  （ｐＨ７），  ０．５２  （ｐＨ７．８），  ０．４８  （ｐＨ８．５），  ０．４０  （ｐＨ９．２），  ０．３５  （ｐＨ１０．２），  ０．２  （ｐＨ１１），（単位  ｍｍ／ｄａｙ）従って、苦汁の至適ｐＨは  ６．５−８．５  である。
【００６４】
以下、実施例により本発明を説明する。
【実施例１】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。このエマルジョンを既成のタイル（１４０  ｍｍ  ｘ  １４０  ｍｍ  ｘ８  ｍｍ）５枚に釉薬として塗布し、スぺーサー（７０  ｍｍ  ｘ  ２５  ｍｍ  ｘ  １０  ｍｍ）１０枚を１組として井桁に組み上げ５段の放射線発生体として、焼き上げ一体の陶磁器とした。これらは放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【００６５】
深層水［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）］や、これらの水を逆浸透膜（ｒｅｖｅｒｓｅ  ｏｓｍｏｓｉｓ  ｍｅｍｂｒａｎｅ）を通過させることによって得た純水、深層水を蒸留して得た純水（蒸留水）等、原水や稀釈に用いた水はいずれも発生体に直接的または／および間接的に浸漬したものを使用した。
【００６６】
浸漬した水をそのまま、または、１０００  倍濃縮後放射線量を測定したところ、ＢＧ（Ｂａｃｋ  Ｇｒｏｕｎｄ）と同様で、いずれも放射能は観測されなかった。水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。水の味覚は非常にまろやかなものに変化していた。２４時間および、１年間常温放置下後一般細菌、大腸菌群等の検出テストを行った：一般細菌：０個／ｍｌ、大腸菌群：不検出。蒸留水を発生体処理したもので、レタス（Ｌａｃｔｕｃａ  ｓａｔｉｖａ  Ｐａｒｕｋｅ）の発芽試験を行ったところ、無処理のものに比較して発芽が促進された。その後の、生育にも顕著な差がみられた。苦汁を発生体処理したもので、アトピー患者の皮膚に噴霧したところ、アトピーが速やかに軽減した。水のクラスターの微細化によって、水（＝  ｓｔｒｕｃｔｕｒｉｚｅｄ  ｗａｔｅｒ）そのものの生物活性が高められているものと推定される。また、水のクラスターの微細化は、環境微生物とのクラスター形成がより、微細化され、容易に起こる。従って、食物連鎖が容易に起こる。
【００６７】
蒸留水に発生体を２４時間浸漬処理ものと、未処理の蒸留水の蒸発速度の比較を行ったところ、処理水のほうが未処理水に比べて蒸発速度が遅くなった。このことは、処理によって水分子の構造化が生じているものと思われる（綿抜邦彦、久保田昌治監修、新しい水の科学と利用技術、  １７２，  （サイエンスフォーラム、１９９２））。構造化によって、不溶性夾雑物（微生物）の取り込み、可溶化が促進され、処理水の様々な酵素反応速度への寄与が向上するものと思われる。以下の実施例では、原水、純水、稀釈水等は発生体に２４時間浸漬処理したものを使用した。
【００６８】
【実施例２】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。バインダーを加えて、φ７  ｍｍ  程度のボール（４００−６００  ｍｇ／個）に焼き上げる。ボール  ２００  個をメッシュの密閉ケースに入れて土壌活性剤とする。農作物・花卉園芸作物・果樹等の根圏に埋設することによって、根圏の微生物層を活性化し、健全で強固な食物連鎖を根圏に形成する。このことによって、連作障害の発生をみることなく、農作物・花卉園芸作物・果樹の健全生育が達成される。
【００６９】
【実施例３】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。バインダーを加えて、φ７  ｍｍ  程度のボール（４００−６００  ｍｇ／個）に焼き上げる。ステンレス製充填カラムにボールを２０Ｋｇ充填し、水道（上水、井水、雨水等）に直結した。カラム通過水を農作物・花卉園芸作物・果樹に散布することによって、農作物・花卉園芸作物・果樹の健全生育が達成される。
このことは、放射線発生体によって、水分子間の水素結合やファンデルワールス力が切断され、微細なクラスターをなす水が苦汁の微量要素と結合し、さらに微細クラスター化することによって、根圏微生物に対して、食物連鎖を容易に構築させた結果による。
【００７０】
【実施例４】
あらかじめ、苦汁３ｗ／ｖ％、鉱酸３ｗ／ｖ％の土壌活性剤を調整し、放射線処理水中に、１００００倍稀釈で加え、土壌活性剤とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。
【００７１】
【実施例５】
あらかじめ、苦汁３ｗ／ｖ％、鉱酸３ｗ／ｖ％、アリシン  ２００ｐｐｍの土壌活性剤を調整し、放射線処理水中に、１００００倍稀釈で加え、土壌活性剤とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。また、アリシンは線虫の抑制にも有効であった。
【００７２】
【実施例６】
あらかじめ、苦汁３ｗ／ｖ％、鉱酸３ｗ／ｖ％、塩基性多糖  ２００ｐｐｍの土壌活性剤を調整し、放射線処理水中に、１００００倍稀釈で加え、土壌活性剤とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。また、塩基性多糖は線虫の抑制にも有効であった。
【００７３】
【実施例７】
あらかじめ、苦汁３ｗ／ｖ％、鉱酸３ｗ／ｖ％、木酢液  ２００ｐｐｍの土壌活性剤を調整し、放射線処理水中に、１００００倍稀釈で加え、土壌活性剤とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。また、木酢液は線虫、害虫の抑制にも有効であった。
【００７４】
【実施例８】
あらかじめ、苦汁３ｗ／ｖ％、鉱酸３ｗ／ｖ％、ミモサ抽出液  ２００ｐｐｍの土壌活性剤を調整し、放射線処理水中に、１００００倍稀釈で加え、土壌活性剤とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。また、ミモサ抽出液は線虫、害虫の抑制にも有効であった。
【００７５】
【実施例９】
あらかじめ、蒸留水で稀釈して苦汁３ｗ／ｖ％、鉱酸３ｗ／ｖ％、アルコール（ＭｅＯＨ，  ＥｔＯＨ，  ｉｓｏｐｒｏｐａｎｏｌ等）１−１０ｗ／ｖ％の土壌活性剤を調整し、実施例４の処理水中に、１００００倍稀釈で加え、稀釈液とした。田畑山林に土壌散布することによって、農作物・花卉園芸作物・果樹の健全生育が達成された。水分子間の水素結合やファンデルワールス力切断が根圏微生物に対して、食物連鎖を容易に構築させた結果による。また、アルコールは線虫、害虫の抑制にも有効であった。
【００７６】
【実施例１０】
稀土鉱石２．５Ｋｇ、トルマリン２．５Ｋｇ、長石５Ｋｇを１０Ｋｇ湿式ボールミルで２４０時間擦って粒子径１５０ミクロン以下に破砕する。さらに苦汁３ｗ／ｖ％を添加する。得られた、混合液を攪拌機で攪拌してエマルジョンとする。このエマルジョンを水性塗料、油性塗料等と混ぜて樹脂パイプ（φ１００ｍｍ  Ｉ．Ｄ．，  横穴をあけておく）に塗布し、土壌活性剤とする。地下茎を収穫する作物の生育促進利用することができる。朝鮮人参、甘草、アスパラガス、大根、ゴボウ、山芋等の栽培に利用することによって、早期生育、活性物質の蓄積が可能となる。甘草では、グリチルリチンの生合成が  ４．０−７．２％  と天然の甘草中の含量（４．１−６．１％）を上回る。通常、甘草の栽培では含量  ２．５−２．８％  程度である。苦汁３ｗ／ｖ％、鉱酸３ｗ／ｖ％の土壌活性剤を調整し、放射線処理水中に、１０００−２０００  倍稀釈で加え、土壌活性剤とした。本液を土壌散布・用面散布することによって、生育はさらに促進される。放射線による水素結合やファンデルワールス力の切断で、根圏の水のクラスターが切断され、微細なクラスターに再構築されることによって、根圏微生物による食物連鎖が活性化される。このことによって、根圏の栄養の受け渡しがスムーズになり、地下茎の生育が促進される。
【００７７】
【実施例１１】
稀土鉱石２．５Ｋｇ、トルマリン２．５Ｋｇ、長石５Ｋｇを１０Ｋｇ湿式ボールミルで２４０時間擦って粒子径１５０ミクロン以下に破砕する。さらに苦汁３ｗ／ｖ％を添加する。得られた、混合液を攪拌機で攪拌してエマルジョンとする。このエマルジョンに、保湿剤（ゲル化剤・ジェル化剤：κーカラギーナン、グルコマンナン、コンニャクマンナン、寒天オリゴ糖、ポリアクリル酸ナトリウム、ポリアクリル酸カリウム、ポリグルタミン酸、ポリアクリルアミド、フコイダン、スクワラン等）０．１−２０ｗ／ｖ％を加えてジェル状、ゲル状の土壌活性剤とする。砂漠等の乾燥地にて、水分を保ちながら迅速に地下茎の発育を達成するために本土壌活性剤は極めて有効である。
【００７８】
【実施例１２】
苦汁６０％、尿素２％、リン酸カリウム５％を配合し土壌活性剤原液を得た。この原液を１０００倍に希釈し、栽培中のキュウリ、ナスに１ケ月２回葉面散布した。その結果、勢いの薄れていた葉が青々と生き返り、葉に付着していた害虫も駆除できた。
【００７９】
【実施例１３】
苦汁６０％、尿素２％、リン酸カルシウム２％、クエン酸カリウム２％を配合し土壌活性剤原液を得た。本原液を２０００倍希釈し、栽培中のマスカットに１日２回７日間葉面散布行ったところ葉枯れがなくなり、粒揃いがよく、大型で艶のよい果実が得られた。マスカットの糖度は２０であった。対照実験によるものは１５．２であり甘さが増大した。
【００８０】
【実施例１４】
苦汁１０％、１Ｎ水酸化カルシウム２％の混合液を１０００倍希釈し１反の試験田に土壌散布を行った。散布は田植え後３リットル、１ケ月後１リットル、２ヶ月後１リットルの計３回散布した。稲作に適用した場合、土壌散布後７週間で根量３．５倍、根長２倍、根太２．５倍、茎長＋１８０ｍｍ、茎太２倍に生育した。収穫時根量５倍、根長３倍、根太２倍、茎長＋２２０ｍｍ、茎太３倍に生育した。株数は２株植えで平均３０株になった。対照田は４株植えで平均２２株であった。収穫量は１０俵であった。対照田は収穫量７俵であった。青米は対照田３０Ｋｇに対し、３ｋｇであった。試験田における化学肥料は対照田に対し２５％減で実施した。試験田の収穫米は対照米に比較して大きさ、色、味がいずれも優れている。
【００８１】
【実施例１５】
苦汁１０％、尿素２％、１Ｎ水酸化カルシウム２％の混合液を１０００倍希釈しメロン葉面散布を収穫までに４回行った。うどん粉病が発生したが５００倍希釈液葉面散布によって抑制に成功した。収穫メロンは２−４Ｋｇに生育した。収穫後熟成に３−４週を要する。果肉は厚く、皮の厚みは２−４ｍｍ程度であった。
【００８２】
【実施例１６】
苦汁１０％、１Ｎ水酸化マグネシウム２％の混合液を１０００倍希釈しスイカ葉面散布を４回行った。収穫スイカはサイズがやや大きめで重量３０％増で糖度が対照スイカに比較して増している。収穫後４ヶ月経ても鮮度が保持されている。水耕栽培も同様の成績をあげた。
【００８３】
【実施例１７】
１０％苦汁液を１０００倍希釈し茶葉面散布を２週間毎に３回行った。得られる新芽が柔らかくしなやかで葉色が鮮やかである。二番茶、三番茶も一番茶同様であった。
【００８４】
【実施例１８】
苦汁１０％、１Ｎ水酸化カルシウム２％の混合液を１０００倍希釈しトマト葉面散布を収穫までに４回行った。３０％収穫増、サイズはＬＬが多くなる。収穫後腐りにくく、密度が大きい。味は風味が強く、甘い。
【００８５】
【実施例１９】
苦汁１０％、１Ｎ水酸化カルシウム２％の混合液を１０００倍希釈しタマネギ土壌散布を収穫までに４回行った。平均重量４２０ｇ、味は甘く、苦みがない。製品歩留まりが非常によい。実は堅くしまっていてみずみずしく日持ちがよい。長ネギ、なす、キュウリ、カボチャ、トウモロコシ、大葉、ほうれん草、ハーブ、サツマイモ、ジャガイモ、キャベツ、白菜、大根、リンゴ、梨、柿、菊、バラ等も同様に効果が顕著であった。また土壌中の小生物（ミミズ等）、微生物の生育が著しく、連作障害が発生しない。
【００８６】
風化花崗岩の黒雲母から硫酸抽出されたミネラルは長期使用の場合、多量に含まれる硫酸による障害が発生する。また、多量に含まれる鉄イオン、アルミニウムイオン（＞１０００ｐｐｍ）が、主たる凝集作用の示すものと思われるが時間経過によってこれら金属が析出してくる。本土壌活性剤は長期使用による鉄イオン、アルミニウムイオン、硫酸アニオン等による障害は発生しない。また、ミネラル濃度も風化花崗岩の黒雲母から硫酸抽出されたミネラルに比べて圧倒的に高く、含有するミネラルの種類も多く複雑な形態をとっている。。これは花崗岩形成の際、及び岩石形成後の風化によってミネラル成分の大半が流出してしまっていることに起因する。風化花崗岩の黒雲母から硫酸抽出されたミネラルの分析結果は次の通りである：Ｃａ＝５０５，  Ｐ＝２２０，  Ｍｇ＝３９００，  Ｋ＝１６２０，  Ｎａ＝１０２，  Ｓｅ＜５，  Ｓｉ＝１１３，  Ｇｅ＜１，  Ｚｎ＝１９．１，  Ｍｎ＝１７８，  Ｆｅ＝１１６００，  Ｃｕ＝６．４７，  Ｃｏ＝７．０，  Ｎｉ＝２．２７，  Ｍｏ＜０．５，  Ｌｉ＝１．６６，  Ｖ＝２７．１，  Ｗ＜１，  Ｂａ＜０．５，  Ｔｉ＝９４７，  Ａｌ＝７６５０  （ｐｐｍ）。
【００８７】
アメリカ・ユタ州ソルトレークの岩塩から得られるミネラルについても同様に岩塩形成過程及び岩塩形成後の風化によってミネラル成分の大半が流出しているためミネラル成分の量、種類ともに深層海水から得られる苦汁に比べて劣っている。ソルトレーク産製のミネラルの分析結果は次の通りである：Ｂｅ＝０．０２，  Ｂ＝３２０，  Ａｍｍｏｎｉａ＝１．８，  Ｎｉｔｒａｔｅ＝１１０，  Ｍｎ＝１１２，  Ｓｃ＝３．９，  Ｖ＝０．０８，  Ｃｒ＝０．８，  Ｃｏ＝０．２６，  Ｇａ＝０．０６，  Ａｓ＝０．０３，  Ｂｒ＝２４００，  Ｙ＝０．１２，  Ｚｒ＝０．０２，  Ｎｂ＝０．０２，  Ｐｄ＝０．３４，  Ａｇ＝０．０２，  Ｃｄ＝０．１，  Ｉｎ＝０．１，  Ｓｎ＝０．０８，  Ｔｅ＝２，  Ｉ＝２１．２，  Ｃｓ＝０．１２，  Ｌａ＝０．１４，  Ｃｅ＝０．１２，  Ｈｆ＝０．１２，  Ｔａ＝０．１２，  Ｙ＝０．１２，  Ｒｅ＝０．１２，  Ｐｔ＝０．１２，  Ａｕ＝０．０２，  Ａｇ＝２．５９，  Ｔｉ＝２．５９，  Ｐｂ＝１．５８，  Ｂｉ＝１．５８  （ｐｐｍ）
【００８８】
【実施例２０】
苦汁１０％、１Ｎ水酸化カルシウム２％の混合液を１０００倍希釈し椎茸の培地木に散布を３回行った。また、子実体形成後一週間に一回散布した。得られた椎茸は肉が厚く傘が開いても厚みがありしっかりしている。味が非常によい。収穫期間が長くなり、１９０％の収量を得る。
【００８９】
【実施例２１】
苦汁１０％、１Ｎ水酸化カルシウム２％の混合液を５０００−１００００倍希釈し切り花の花瓶または水盤中に加えた結果、花持ちがよく、水換えの必要がなくなる。菊等は花瓶中で発根する。竹は水盤中で４ヶ月間持った。
【００９０】
【実施例２２】
苦汁１０％、１Ｎ水酸化カルシウム２％の混合液を１０００倍希釈し各種堆肥、厩肥（馬糞、牛糞、鶏糞、藁、大鋸屑、おから、モヤシ、芝草等）に散布し、発酵を行った。好気性発酵が急速に進み、放線菌等に富む良好な発酵堆肥、厩肥が得られた。カビ類の発生は強く抑制される。アガリクス・ブラゼイの生育培地としても極めて優れた発酵堆肥、厩肥となった。従って、本混合液の散布はアガリクス・ブラゼイ生育培地を得るための重要な要素の１つである。
【００９１】
【実施例２３】
苦汁１０％、１Ｎ水酸化カルシウム２％の混合液を５００００倍希釈しアガリクス・ブラゼイ（Ａｇａｒｉｃｕｓ  ｂｌａｚｅｉ）生育培地に散布を行った。子実体形成後１週間に１回散布した。子実体の大きさが大きくなり（直径１０−３０ｃｍ）、多糖体、ステロイド、ミネラル含量が増加した。収量も培地重量の２５％（２５％増）になった。一般にアガリクスはその活性成分（多糖体、ステロイド、ミネラル）含量が生育条件によって異なることが知られる。従来、天然物に比べて栽培種は活性成分含量が少ないといわれていた。これは、菌糸体形成のための培地を滅菌していたため、子実体形成率が低下し、また糸状菌の生育を抑制することが困難であったため結果的に子実体の生育不良を引き起こし、従って活性成分（多糖体、ステロイド、ミネラル）含量が低下した。従って、本混合液の散布は活性成分含量を高めるための重要な要素の１つである。一般にキノコ類（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草類（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ、セミタケ、シロセミタケ、オオセミタケ、ヒメハダカセミタケ、サナギタケ、タマサナギタケ、ミドリトサカタケ、ハトジムシハリタケ、マユダマタケ、コガネムシタケ、ミヤマムシタケ、ヒメクチキタンポタケ、オサムシタケ、ハチタケ、アリタケ、ケラタケ、タンポバッタタケ、ヤンマタケ、シロアリタケ、ハエヤドリタケ、アブヤドリタケ、イリオモテクモタケ、ハダニヤドリツブタケ、トウマタンポタケ、セイヨウバッカクタケ、キビノムシタケモドキ等（清水大典、冬虫夏草図鑑、（１９９７）家の光協会））、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ、アミスギタケ、ツクリタケ、ヌメリスギタケ、ヒラタケ、タモギタケ、フクロタケ、ハタケシメジ、キヌガサタケ、スエヒロタケ、ニクウスバタケ、コガネゴウヤクタケ、シワタケ、アラゲニクハリタケ、キウロコタケ、チャウロコタケ、ムキタケ、カミハリタケ、ヤナギマツタケ）の子実体形成を本土壌活性剤は助長し、収量を高める。アガリクス・ブラゼイの熱水抽出液に本発明のミネラル混合液を添加したものを飲用する事によってヘリコバクター・ピロリ（Ｈｅｌｉｃｏｂａｃｔｅｒ  ｐｙｒｏｌｌｉ）の生育を抑制することができる。
【００９２】
【実施例２４】
苦汁１０％、１Ｎ水酸化カルシウム２％の混合液を１０００倍希釈し、微生物資材と共に堆肥、厩肥、ぼかし等発酵を行うことによって微生物資材の発酵能力を飛躍的に向上、改良することが可能である。また、微生物資材の増殖培地としても使用することが可能である。また、微生物資材によって引き起こされた連作障害を克服することができる。
【００９３】
【実施例２５】
松枯れ病の原因は、近年次の３要素に起因するといわれている。１．排ガス等大気汚染による松の葉の気孔の閉塞。２．土壌のミネラル不足による樹勢の劣化。３．マツノザイセンチュウの寄生。
【００９４】
苦汁１０％、１Ｎ水酸化カルシウム２％の混合液を１０００倍希釈し、アスペルギルス・メレウス（Ａｓｐｅｒｇｉｌｌｕｓ  ｍｅｌｌｅｕｓ）および／またはアスペルギルス・サルフェレウス（Ａｓｐｅｒｇｉｌｌｕｓ  ｓｕｌｐｈｕｒｅｕｓ  ）と共に松の根周辺に散布、または穴を掘って埋設する事によって、松枯れ病の予防と、回復が可能となる。根周辺への散布によって土壌のミネラル不足の解消が可能となる。また、微生物によって殺センチュウ効果を有するメレジンが生産され、根から吸収され樹木一面にメレジンが行き渡ることによってマツノザイセンチュウが忌避される。葉面散布によって気孔の閉塞による疲弊を回復する事が可能である。メレジンは残留性、毒性を示さない。メレジンはネコブセンチュウにも同様に有効であり、畑に散布することによって作物の連作障害を解消することが可能である。
【００９５】
【実施例２６】
苦汁１０％、木酢液２−３０％、１Ｎ水酸化カルシウム２％の混合液を１０００倍希釈し、土壌散布、または葉面散布を行った結果、長ネギ、なす、キュウリ、カボチャ、トウモロコシ、大葉、ほうれん草、ハーブ、サツマイモ、ジャガイモ、キャベツ、白菜、大根、リンゴ、梨、柿、菊、バラ等も同様に効果が顕著であった。土壌中の小生物（ミミズ等）、微生物の生育が著しく、連作障害が発生しない。味は甘く、苦みがない。製品歩留まりが非常によい。実は堅くしまっていてみずみずしく日持ちがよい。
【００９６】
【実施例２７】
ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘ  ｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓ  Ｌ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅ  ｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）等の沿岸帯の植物は、ポリフェノールを多く含み、またミネラルを細胞内に濃縮しているため水を浄化する能力が高い（井高英一等、池・湖沼の生物棚を用いた酸化的浄化、岐阜大学地域共同研究センター研究成果報告書、２号、６２−６９（１９９２）、井高英一等、生物処理システムによる河川湖沼の水質浄化、多自然型川づくりシンポジウム講演論文集、１８−３１（１９９２））。
【００９７】
また、ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘ  ｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓＬ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）等の沿岸帯植物の乾燥粉末は、有機物質共存下で好気的有機栄養型、嫌気的有機栄養型のいずれでも光栄養細菌（Ｐｈｏｔｏｔｒｏｐｈｉｃ  ｂａｃｔｅｒｉａ）（紅色硫黄細菌（Ｃｈｒｏｍａｔｉａｃｅａｅ）、紅色非硫黄細菌（Ｒｈｏｄｏｓｐｉｒｉｌｌａｃｅａｅ））をよく育成する（Ｂｅｒｇｅｙ’ｓ  Ｍａｎｕａｌ  ｏｆ  Ｄｅｔｅｒｍｉｎａｔｉｖｅ  Ｂａｃｔｅｒｉｏｌｏｇｙ，  ８ｔｈ  ｅｄｎ．  （１９７４））。光栄養細菌は水稲根圏において、根が好まない有害物質を除去し、根の呼吸・栄養代謝系を守る作用を行う。
【００９８】
ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘ  ｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓ  Ｌ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅ  ｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）から選ばれた１種若しくは２種以上の沿岸帯の植物の乾燥粉末又は、抽出物に本土壌活性剤を加え、水田土壌に散布した場合、腐敗菌（Ｃｌｏｓｔｒｉｄｉｕｍ  ｐｅｃｔｉｎｏｖｏｒｕｍ，  Ｄｅｓｕｌｆｏｖｉｂｒｉｏ  ｄｅｓｕｌｆｕｒｉｃａｎｓ，  Ｅｒｗｉｎｉａ  ｃａｒｏｔｏｖｏｒａ，  ｅｔｃ．）の生育が阻害され、幼穂形成期に発生する硫化水素を利用分解除去するため根の生育が著しい。���た、光栄養細菌がイネの花芽形成を助けることから米の収穫増（３０％）に至る。同様に、ヘドロの分解、堆肥、厩肥の発酵が効率よくなされ、腐敗菌の生育を抑制するため発酵されたヘドロ、堆肥、厩肥中に腐敗物質を含まない。
【００９９】
また、ヤナギ（Ｓａｌｉｘ  ｓｕｂｆｒａｇｉｌｉｓ）、ハンノキ（Ａｌｎｕｓ  ｊａｐｏｎｉｃａ）、ハルニレ（Ｕｌｍｕｓ  Ｄａｖｉｄｉａｎａ）、カラコギカエデ（Ａｃｅｒ  ｐａｌｍａｔｕｍ  ｔｈｕｎｂ）、ヤチダモ（Ｆｒａｘｉｎｕｓ  ｍａｎｄｓｈｕｒｉｃａ）、オニグルミ（Ｊｕｇｌａｎｓ  ｍａｎｄｓｈｕｒｉｃａ）、ウメモドキ（Ｉｌｅｘ  ｓｅｒｒａｔｏ）、カンボク（Ｖｉｂｕｒｎｕｍ  Ｏｐｕｌｕｓ  Ｌ．）、ノリウツギ（Ｈｙｄｒａｎｇｅａ  ｐａｎｉｃｕｌａｔａ）、ミツバウツギ（Ｓｔａｐｈｙｌｅａ  Ｂｕｍａｌｄ）、アゼスゲ（Ｃａｒｅｘ  Ｔｈｕｎｂｅｉｇｉｔ）、ナルコスゲ（Ｃａｒｅｘ  ｃｕｒｖｉｃｏｌｌｉｓ）、カサスゲ（Ｃａｒｅｘ  ｄｉｓｐａｌａｔａ）、サンカクイ（Ｓｃｉｒｐｕｓ  ｔｒｉｑｕｅｔｅｒ）、カンガレイ（Ｓｃｒｉｐｕｓ  ｔｒｉａｎｇｕｌａｔｕｓ）、ヤマドリゼンマイ（Ｏｓｍｕｎｄａ  ｃｉｎｎａｍｏｍｅａ）、ツリフネソウ（Ｉｍｐａｔｉｅｕｓ  ｎｏｌｉ−ｔａｎｇｅｒｅ）、サワオグルマ（Ｓｅｎｅｃｉｏ  ｐｉｅｒｏｔｉｉ）、ミソハギ（Ｌｙｔｈｒｕｍ  ａｎｃｅｐｓ）、ヒオウギアヤメ（Ｉｒｉｓ  ｓｅｔｏｓａ）、ヨシ（Ｐｈｒａｇｍｉｔｅｓ  ｃｏｍｍｕｎｉｓ）、マコモ（Ｚｉｚａｎｉａ  ｌａｔｉｆｏｌｉａ）、ガマ（Ｔｙｐｈａ  ｌａｔｉｆｏｌｉａ）、ミクリ（Ｓｐａｒｇａｎｉｕｍ  ｓｔｏｌｏｎｉｆｅｒｕｍ）、フトイ（Ｓｃｉｒｐｕｓ  ｌａｃｕｓｔｒｉｓ  Ｌ．）、コウホネ（Ｎｕｐｈａｒ  ｊａｐｏｎｉｃｕｍ）、ハス（Ｎｅｌｕｍｂｏ  ｎｕｃｉｆｅｒａ）、ショウブ（Ａｃｏｒｕｓ  ｃａｌａｍｕｓ  Ｌ．）、キショウブ（Ｉｒｉｓ  ｐｓｅｕｄｏａｃｏｒｕｓＬ．）、ミツガシワ（Ｍｅｒｙａｎｔｈｅｓ  ｔｒｉｆｏｌｉａｔａ）、ヒシ（Ｔｒａｐａ  ｎａｔａｎｓ）、アサザ（Ｎｙｍｐｈｏｉｄｅｓ  ｐｅｌｔａｔａ）、ガガブタ（Ｎｙｍｐｈｏｉｄｅｓ  ｉｎｄｉｃａ）、ヒツジグサ（Ｎｙｍｐｈａｅａ  ｔｅｔｒａｇｏｎａ）、ヒルムシロ（Ｐｏｔａｍｏｇｅｔｏｎ  ｄｅｓｔｉｎｃｔｕｓ）、オニバス（Ｅｕｒｙａｌｅｆｅｒｏｘ）、ジュンサイ（Ｂｒａｓｅｎｉａ  Ｓｃｈｅｂｅｒｉ）、トチカガミ（Ｈｙｄｒｏｃｈａｒｉｓ  Ｍｏｒｓｕｓ−ｒａｎａｅ）、エビモ（Ｐｏｔａｍｏｇｅｔｏｎ  ｃｒｉｓｐｕｓ）、ササバモ（Ｐｏｔａｍｏｇｅｔｏｎ  ｍａｌａｉａｎｕｓ）、イトモ（Ｐｏｔａｍｏｇｅｔｏｎ  ｏｃｔａｎｄｒｕｓ）、リュウノヒゲモ（Ｏｐｈｉｏｐｏｇｏｎ  ｊａｐｏｎｉｃｕｍ）、ボサキノフサモ（Ｍｙｎｏｐｈｙｌｌｕｍ  ｖｅｒｔｉｃｉｌｌａｔｕｍ）、バイカモ（Ｒａｎｕｎｃｕｌｕｓ  ａｑｕａｔｉｌｉｓ）、イバラモ（Ｎａｊａｓ  ｍａｒｉｎａ）、セキショウモ（Ｖａｌｌｉｓｎｅｒｉａ  ａｓｉａｔｉｃａ）、クロモ（Ｈｙｄｒｉｌｌａ  ｖｅｒｔｉｃｉｌｌｅｔａ）、ミモサ（Ｍｉｍｏｓａ）から選ばれた１種若しくは２種以上の沿岸帯植物の乾燥粉末又は、抽出物に本土壌活性剤を加え、飲用に供した場合、腸内で光栄養細菌の生育が促され、一方腐敗細菌の生育が阻害され、その結果整腸作用を助長する効果を有する。
【０１００】
【実施例２８】
有害微生物の中真核細胞群に属する酵母、糸状菌のいわゆる真菌群が農作物に重大な影響を与えている。赤カビ属（Ｆｕｓａｒｉｕｍ  ｓｐ．）は根系生息型寄生菌であり特定の植物にのみ特異的な寄生関係を示す。苦汁１０％、１Ｎ水酸化カルシウム２％の混合液にアリシン（Ａｌｌｉｃｉｎ：  ２−ｐｒｏｐｅｎｅ−１−ｓｕｌｆｉｎｏｔｈｉｏｉｃ  ａｃｉｄ  Ｓ−２−ｐｒｏｐｅｎｙｌ  ｅｓｔｅｒ；  ｔｈｉｏ−２−ｐｒｏｐｅｎｅ−１−ｓｕｌｆｉｎｉｃ  ａｃｉｄ  Ｓ−ａｌｌｙｌ  ｅｓｔｅｒ）を１０−２００００ｐｐｍ加えて原液とする。この原液を１０００倍希釈し、土壌散布、または葉面散布することによって梅、トマト、なす、ダイコン、スイカ、キュウリ、桃、リンゴ等の赤カビ病を抑制し、植物の生長促進効果が得られる。
【０１０１】
【実施例２９】
ミネラルは糸状菌の駆除、抑制に有効である。また、アクチノミセス・ロンギスポーラス（Ａｃｔｉｎｏｍｙｃｅｓ  ｌｏｎｇｉｓｐｏｒｕｓ）、アクチノミセス・ロンギスシム（Ａｃｔｉｎｏｍｙｃｅｓ  ｌｏｎｇｉｓｓｉｍｕｓ）、アクチノミセス・サーモビオラセウス（Ａｃｔｉｎｏｍｙｃｅｓ  ｔｈｅｒｍｏｖｉｏｌａｃｅｕｓ）、ダクチロスポランギウム・タイランデンス（Ｄａｃｔｉｎｏｓｐｏｒｕｎｇｉｕｍ  ｔｈａｉｌａｎｄｅｎｓｅ）、ダクチロスポランギウム・オーランティアクム（Ｄａｃｔｉｎｏｓｐｏｒｕｎｇｉｕｍ  ａｕｒａｎｔｉａｃｕｍ）、ストレプトミセス・アウレウス（Ｓｔｒｅｐｔｏｍｙｃｅｓ  ａｕｒｅｕｓ）、サーモアクチノミセス・ブルガリス（Ｔｈｅｒｍｏａｃｔｉｎｏｍｙｃｅｓ  ｖｕｌｇａｒｉｓ）、サーモアクチノミセス・モノスポラ（Ｔｈｅｒｍｏａｃｔｉｎｏｍｙｃｅｓ  ｍｏｎｏｓｐｏｒａ）、ミクロポリスポーラ・サーモビリダ（Ｍｉｃｒｏｐｏｌｙｓｐｏｒａ  ｔｈｅｒｍｏｖｉｒｉｄａ）、ノカルディア・バクシニー（Ｎｏｃａｒｄｉａ  ｖａｃｃｉｎｉｉ）等の放線菌（Ａｃｔｉｎｏｍｙｃｅｔｅｓ）も糸状菌の生育をよく抑制する。苦汁１０％、鉱酸２％の混合液を１０００倍希釈し、これにアクチノミセス・ロンギスポーラス（Ａｃｔｉｎｏｍｙｃｅｓ  ｌｏｎｇｉｓｐｏｒｕｓ）、アクチノミセス・ロンギスシム（Ａｃｔｉｎｏｍｙｃｅｓ  ｌｏｎｇｉｓｓｉｍｕｓ）、アクチノミセス・サーモビオラセウス（Ａｃｔｉｎｏｍｙｃｅｓ  ｔｈｅｒｍｏｖｉｏｌａｃｅｕｓ）、ダクチロスポランギウム・タイランデンス（Ｄａｃｔｉｎｏｓｐｏｒｕｎｇｉｕｍ  ｔｈａｉｌａｎｄｅｎｓｅ）、ダクチロスポランギウム・オーランティアクム（Ｄａｃｔｉｎｏｓｐｏｒｕｎｇｉｕｍ  ａｕｒａｎｔｉａｃｕｍ）、ストレプトミセス・アウレウス（Ｓｔｒｅｐｔｏｍｙｃｅｓ  ａｕｒｅｕｓ）、サーモアクチノミセス・ブルガリス（Ｔｈｅｒｍｏａｃｔｉｎｏｍｙｃｅｓ  ｖｕｌｇａｒｉｓ）、サーモアクチノミセス・モノスポラ（Ｔｈｅｒｍｏａｃｔｉｎｏｍｙｃｅｓｍｏｎｏｓｐｏｒａ）、ミクロポリスポーラ・サーモビリダ（Ｍｉｃｒｏｐｏｌｙｓｐｏｒａ  ｔｈｅｒｍｏｖｉｒｉｄａ）、ノカルディア・バクシニー（Ｎｏｃａｒｄｉａ  ｖａｃｃｉｎｉｉ）から選ばれる１種若しくは２種以上の放線菌を加えて葉面散布、または土壌散布することによって糸状菌の制御が可能である。うどんこ病（Ｓｐｈａｅｒｏｔｈｅｃａ  ｆｕｌｉｇｉｎｅａ）、メルティングアウト（Ｈｅｌｍｉｎｔｈｏｓｐｏｒｉｕｍ  ｖａｇａｎｓ）、ゾネートアイスポット（Ｈｅｌｍｉｎｔｈｏｓｐｏｒｉｕｍ  ｇｉｇａｕｔｅｕｍ）、リーフスポット（Ｈｅｌｍｉｎｔｈｏｓｐｏｒｉｕｍ  ｓｏｒｏｋｉｎｉａｎｕｍ）、リーフブロッチ（Ｈｅｌｍｉｎｔｈｏｓｐｏｒｉｕｍ  ｃｙｎｏｄｏｎｔｉｓ）、レッドスレッド（Ｃｏｒｔｉｃｉｕｍ  ｔｕｃｉｆｏｒｍｅ）、スライムモールド（Ｐｈｙｓａｒｕｍ  ｃｉｎｅｒｅｕｍ）、さび病（Ｐｕｃｃｉｎｉａ  ｇｒａｍｉｎｉｓ）、ブラウンパッチ（Ｒｈｉｚｏｃｔｏｎｉａ  ｓｏｌａｎｉ）、ダラースポット（Ｓｃｌｅｒｏｔｉｎｉａ  ｈｏｍｏｅｏｃａｒｐａ）、ピシウムブライト（Ｐｙｔｈｉｕｍ  ａｐｈａｎｉｄｅｒｍａｔｕｍ）、ラージパッチ（Ｒｈｉｚｏｃｔｏｎｉａ  ｓｏｌａｎｉ）、フリザムブライト（Ｆｕｓａｒｉｕｍ  ｒｐｓｅｕｍ）、フリザムパッチ（Ｆｕｓａｒｉｕｍ  ｎｉｖａｌｅ）、イエローパッチ（Ｎｅｍａｔｏｄｅｓ）に対して効果が認められた。モヤシの茎を茶色に変色させたり、黒く変色させる菌（Ｍａｃｒｏｐｈｏｍｉｎａ  ｐｈａｓｃｏｌｉ，Ｆｕｓａｒｉｕｍ  ｓｏｌａｎｉ，  Ｒｈｉｚｏｃｔｏｎｉａ  ｓｏｌａｎｉ，  Ｐｅｎｉｃｉｌｌｉｕｍ  ｓｐ．）に対して本混合液は抑制効果を示す。従って、モヤシに本混合液を散布、または浸潤することによって鮮度維持が可能である。また、広く防かび剤としても有効であり工業製品材料の変質腐食の防止、食品工場での防かび対策、家庭の風呂場、キッチン、庭での防かび、防臭に有効である。放線菌を超音波破砕、ブラウン破砕等によるセルフリー抽出液（ｃｅｌｌ−ｆｒｅｅ  ｅｘｔｒａｃｔ）を苦汁１０％、１Ｎ水酸化カルシウム２％の混合液に添加しても防かび効果は有効である。本混合液は水虫の原因となる白鮮菌にたいしてもその生育を抑制するため水虫治療薬としても有効である。
【０１０２】
【実施例３０】
深層海水から得られる苦汁１０％、１Ｎ水酸化カルシウム２％の混合液を１０００倍希釈し、収穫した野菜、果実、花等をパック詰めする際に散布または浸潤することによって野菜、果実、花等の鮮度維持が可能である。切り花は枯れてもフラボン、葉緑素等の分解による色落ちが抑制され、また落花しない。
【０１０３】
【実施例３１】
深層海水から得られる苦汁１０％、１Ｎ水酸化カルシウム２％の混合液を１０００倍希釈し、豆腐、漬け物等に散布または浸潤することによって防腐効果を示し、保存期間を延長することが可能である。
【０１０４】
【実施例３２】
近年、新しい畳の色落ちが急速になっていることが知られている。この原因は原料となるイグサの栽培時のミネラル不足に起因することが明らかとなった。深層海水から得られる苦汁１０％、１Ｎ水酸化カルシウム２％の混合液を１０００倍希釈し、イグサ栽培土壌に散布することによってミネラル・リッチ（ｍｉｎｅｒａｌ  ｒｉｃｈ）なイグサを収穫することができる。本イグサを用いて製畳した場合、表畳の色落ちが緩慢になる。
【０１０５】
【実施例３３】
深層海水から得られる苦汁１０％、１Ｎ水酸化カルシウム２％の混合液を１０００倍希釈し、植物の種子をこの液に浸した場合、種子の発芽率の向上と発芽時期の促進が期待される。スイカ、キャベツ、ほうれん草、シソ等においてそれらの効果が顕著であった。
【０１０６】
【実施例３４】
鳥羽毛をあらかじめ、酸加水分解またはアルカリ加水分解した後、中和し、深層海水から得られる苦汁１０％、１Ｎ水酸化カルシウム２％の混合液を１０００倍希釈し、散布を行う。この混合物を発酵させることによって、アミノ酸、ミネラルに富んだ堆肥を得ることができる。この際、アクチノミセス・ロンギスポーラス（Ａｃｔｉｎｏｍｙｃｅｓ  ｌｏｎｇｉｓｐｏｒｕｓ）、アクチノミセス・ロンギスシム（Ａｃｔｉｎｏｍｙｃｅｓ  ｌｏｎｇｉｓｓｉｍｕｓ）、アクチノミセス・サーモビオラセウス（Ａｃｔｉｎｏｍｙｃｅｓ  ｔｈｅｒｍｏｖｉｏｌａｃｅｕｓ）、ダクチロスポランギウム・タイランデンス（Ｄａｃｔｉｎｏｓｐｏｒｕｎｇｉｕｍ  ｔｈａｉｌａｎｄｅｎｓｅ）、ダクチロスポランギウム・オーランティアクム（Ｄａｃｔｉｎｏｓｐｏｒｕｎｇｉｕｍ  ａｕｒａｎｔｉａｃｕｍ）、ストレプトミセス・アウレウス（Ｓｔｒｅｐｔｏｍｙｃｅｓ  ａｕｒｅｕｓ）、サーモアクチノミセス・ブルガリス（Ｔｈｅｒｍｏａｃｔｉｎｏｍｙｃｅｓ  ｖｕｌｇａｒｉｓ）、サーモアクチノミセス・モノスポラ（Ｔｈｅｒｍｏａｃｔｉｎｏｍｙｃｅｓ  ｍｏｎｏｓｐｏｒａ）、ミクロポリスポーラ・サーモビリダ（Ｍｉｃｒｏｐｏｌｙｓｐｏｒａ  ｔｈｅｒｍｏｖｉｒｉｄａ）、ノカルディア・バクシニー（Ｎｏｃａｒｄｉａ  ｖａｃｃｉｎｉｉ）から選ばれる１種若しくは２種以上の放線菌を添加する事によって堆肥の発酵をコントロールすることが可能である。
【０１０７】
【実施例３５】
海草をあらかじめ、酸加水分解またはアルカリ加水分解した後、中和し、深層海水から得られる苦汁１０％、１Ｎ水酸化カルシウム２％の混合液を１０００倍希釈し混合する。この混合物から得られる石鹸は、毛根細胞内の脂質を溶出し、ミネラルを供給するため毛根の生育を促進し、毛髪色素の生産を促す効果を有する。また、皮膚に対してミネラル供給を促し、表皮代謝を促進する。
【０１０８】
【実施例３６】
深層海水から得られる苦汁１０％、塩化アルミニウム１％、塩化鉄１％、１Ｎ炭酸カルシウム２％の混合液を１０００倍希釈し、葉面散布、土壌散布を行った場合、アブラムシ、粉ダニ等の害虫を忌避、駆除する事が可能である。本ミネラル混合液は有機栽培作物の害虫忌避に適する。本混合液は水質浄化剤としても適している。
【０１０９】
【実施例３７】
深層海水から得られる苦汁１０％、塩化アルミニウム１％、塩化鉄１％、１Ｎ水酸化カルシウム２％の混合液を１０００倍希釈し、土壌散布または地下浸透させた場合、有機塩素化合物（トリクロロエチレン、テトラクロロエチレン、クロロホルム等）の分解を促進し、土壌汚染、地下水汚染の緩和が可能である。
【０１１０】
【実施例３８】
苦汁１０％、１Ｎ水酸化カルシウム２％の混合液を１０００倍希釈し、アクチノミセス・ロンギスポーラス（Ａｃｔｉｎｏｍｙｃｅｓ  ｌｏｎｇｉｓｐｏｒｕｓ）、アクチノミセス・ロンギスシム（Ａｃｔｉｎｏｍｙｃｅｓ  ｌｏｎｇｉｓｓｉｍｕｓ）、アクチノミセス・サーモビオラセウス（Ａｃｔｉｎｏｍｙｃｅｓ  ｔｈｅｒｍｏｖｉｏｌａｃｅｕｓ）、ダクチロスポランギウム・タイランデンス（Ｄａｃｔｉｎｏｓｐｏｒｕｎｇｉｕｍ  ｔｈａｉｌａｎｄｅｎｓｅ）、ダクチロスポランギウム・オーランティアクム（Ｄａｃｔｉｎｏｓｐｏｒｕｎｇｉｕｍ  ａｕｒａｎｔｉａｃｕｍ）、ストレプトミセス・アウレウス（Ｓｔｒｅｐｔｏｍｙｃｅｓ  ａｕｒｅｕｓ）、サーモアクチノミセス・ブルガリス（Ｔｈｅｒｍｏａｃｔｉｎｏｍｙｃｅｓ  ｖｕｌｇａｒｉｓ）、サーモアクチノミセス・モノスポラ（Ｔｈｅｒｍｏａｃｔｉｎｏｍｙｃｅｓ  ｍｏｎｏｓｐｏｒａ）、ミクロポリスポーラ・サーモビリダ（Ｍｉｃｒｏｐｏｌｙｓｐｏｒａ  ｔｈｅｒｍｏｖｉｒｉｄａ）、ノカルディア・バクシニー（Ｎｏｃａｒｄｉａ  ｖａｃｃｉｎｉｉ）から選ばれる１種若しくは２種以上の放線菌を添加して、堆肥・厩肥に散布し発酵を行った。この場合二次発酵を行うことなくアガリクス・ブラゼイ（Ａｇａｒｉｃｕｓ  ｂｌａｚｅｉ）生育培地とする事ができる。この方法による発酵培地を使用した場合、子実体の大きさが大きくなり（直径１０−３０ｃｍ）、多糖体、ステロイド、ミネラル含量が増加した。収量も培地重量の２５％（２５％増）になった。従って、本混合液の散布は活性成分含量を高めるための重要な要素の１つである。一般にキノコ類（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草類（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ、セミタケ、シロセミタケ、オオセミタケ、ヒメハダカセミタケ、サナギタケ、タマサナギタケ、ミドリトサカタケ、ハトジムシハリタケ、マユダマタケ、コガネムシタケ、ミヤマムシタケ、ヒメクチキタンポタケ、オサムシタケ、ハチタケ、アリタケ、ケラタケ、タンポバッタタケ、ヤンマタケ、シロアリタケ、ハエヤドリタケ、アブヤドリタケ、イリオモテクモタケ、ハダニヤドリツブタケ、トウマタンポタケ、セイヨウバッカクタケ、キビノムシタケモドキ等（清水大典、冬虫夏草図鑑、（１９９７）家の光協会））、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ、アミスギタケ、ツクリ���ケ、ヌメリスギタケ、ヒラタケ、タモギタケ、フクロタケ、ハタケシメジ、キヌガサタケ、スエヒロタケ、ニクウスバタケ、コガネゴウヤクタケ、シワタケ、アラゲニクハリタケ、キウロコタケ、チャウロコタケ、ムキタケ、カミハリタケ、ヤナギマツタケ）の子実体形成を本土壌活性剤は助長し、収量を高める。
【０１１１】
【実施例３９】
苦汁１０％、キチン・キトサン１０％混合液を１０００倍希釈し、ホウレンソウに葉面散布を行った。得られたホウレンソウの収量は７０％増加し、品質がよくなった。
【０１１２】
【実施例４０】
牛海綿状脳症（ＢＳＥ：  Ｂｏｖｉｎｅ  ｓｐｏｎｇｉｆｏｒｍ  ｅｃｅｐｈａｌｏｐａｔｈｙ）の牛では、正常プリオン蛋白質（ＰｒＰｃ）の分子構造がα−ヘリックスを形成しているのに対して、異常プリオン（ＰｒＰｓｃ）では分子間相互作用（ｖａｎ  ｄｅｒ  Ｗａａｌｓ’ｓ  ｆｏｒｃｅ  （４−２０  ＫＪ／ｍｏｌ），  ｈｙｄｒｏｇｅｎ  ｂｏｎｄ  （２５  ＫＪ／ｍｏｌ））によってβ−シート構造をとるようになる。ＰｒＰｓｃを含む肉骨粉を６００℃／１０−３０秒高周波加熱処理（ｄｒｙ  ｈｅａｔ）では、病原体が残ることが知られる。しかし、１３５℃でのウェットヒート（ｗｅｔ  ｈｅａｔ）ではＰｒＰｓｃは失活する。これは、熱エネルギー（ΔＥ）よりも、水との分子間相互作用：水和によって安定化され、反応の自由エネルギー差（ΔＧ゜：ｓｔａｎｄａｒｄ  ｆｒｅｅ  ｅｎｅｒｇｙ  ｄｉｆｆｅｒｅｎｃｅ）を減少させることが、ＰｒＰｓｃがウェットヒートで容易に失活する所以である。すなわち、ΔＧ゜＞ΔＥＴ（温度差によるエネルギー差）である。
【０１１３】
本発明の請求項４−６記載の苦汁／稀土鉱石／トルマリン／長石とよりなる環境浄化剤を、生ゴミ処理機の内壁または／および、外壁に塗布・付着し、実施例２８に従って肉骨粉の処理を行った場合、発生するマイナスイオン・放射線によって水和したＰｒＰｓｃのβ−シート構造が容易に変化し、生ゴミ処理機内の食物連鎖の中で代謝される。β−シート構造は分子内アミノ酸残基間の水素結合、ファンデルワールス力に起因しており、マイナスイオン・放射線によって分子内水素結合等の切断、組み替えがなされるため、肉骨粉のゼロエミッション連続処理が可能となった。処理残査は感染作用を示さなかった。
【０１１４】
【実施例４１】
深層水を濃縮して得られる苦汁（主成分：微量要素）３％、酸（鉱酸、クエン酸）３％の混合液を１０００−１００００倍稀釈とした。本構造化濃縮深層水をｐＨ  ４−１３  に調整しパーマ液とした。パーマ（ｐｅｒｍ，  ｐｅｒｍａｎｅｎｔ  ｗａｖｅ）は、ポリペプチド中のシスチン／システイン（ｃｙｓｔｉｎｅ／ｃｙｓｔｅｉｎｅ，  ＣＴ／Ｃｙｓ）に起因する酸化還元反応（２ＳＨ→Ｓ−Ｓ）や水素結合、ファンデルワールス力の切断・再結合を利用したものである。１液として還元剤チオグリコール酸／ジチオグリコール酸（ｍａｘ．  ７％／４％、アンモニウム塩／モノエタノールアミン塩、ＴＧＡ（ｔｈｉｏｇｌｙｃｏｌｉｃ  ａｃｉｄ）／ＤＴＧＡ（ｄｉｔｈｉｏｇｌｙｃｏｌｉｃ  ａｃｉｄ））、ＣＴ／Ｃｙｓ、モノエタノールアミン、トリエタノールアミン、重炭酸アンモニウム、ケラチン（ｍｏｉｓｔｕｒｅ  ｅｆｆｅｃｔ）、ムコ多糖、キチン、エデト酸塩、セタノール、ラウリル硫酸塩、パラベン、アミノ変性シリコン、抗炎症剤等を含む（ｐＨ９−１０）。その他、還元剤としてアセチルシステイン、システアミン、チオ乳酸が使用される。２液として酸化剤臭素酸カリウム／臭素酸ナトリウム（２−５％／６−１０％）、過酸化水素、ホルムアルデヒド、ベタイン、微粒子シリコン等を含む。酸性剤としてカルボン酸（クエン酸、リンゴ酸、酒石酸等）が使用される。構造化微量要素はポリペプチドに配位しポリペプチドの構造水となり、Ｓ−Ｓ結合の反応のΔＧ°を下げ、解裂を容易にする。その結果、還元剤が弱くても解裂が起こり、毛髪頭皮への炎症が軽減され、疲労感、肩凝り等脳波（β波、δ波）への影響も軽減される。また、構造化微量要素によって、作業者の手荒れが抑制される。
【０１１５】
【実施例４２】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化深層水を製造することができる。
【０１１６】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）から得られた純水（ｐｕｒｅ  ｗａｔｅｒ  ｂｙ  ｍｅｍｂｒａｎｅ  ｆｉｌｔｅｒ，  ＲＯ  ｆｉｌｔｅｒ，  ｉｏｎ  ｅｘｃｈａｎｇｅ  ｆｉｌｔｅｒ）・蒸留水（ｄｉｓｔｉｌｌｅｄ  ｗａｔｅｒ）、または、一般的な純水・蒸留水を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【０１１７】
放射線・マイナスイオン発生体と水を直接または、間接的に接触させた場合、水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成（構造化（ｓｔｒｕｃｔｕｒｉｚｅｄ））が認められる。（綿貫邦彦、久保田昌治監修、新しい水の科学と利用技術、２１７，  ２３７，  ２６３  サイエンスフォーラム（１９９２））
【０１１８】
構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ、崩壊核、放射性元素）、電磁場照射、核磁気共鳴等によっても可能であり、深層水、濃縮深層水、稀釈水、純水、蒸留水、イオン交換水、膜浸透水等を直接的または／および、間接的にこれら各種照射をすることによって容易に構造化される（綿抜邦彦、久保田昌治監修、新しい水の科学と利用技術、（１９９２）サイエンスフォーラム）。しかし、いずれの方法によっても、本発明の放射線・マイナスイオン発生体または、苦汁／稀土鉱石／トルマリン／長石の混合物による構造化よりも、構造化の寄与は劣っている。
【０１１９】
【実施例４３】
深層水を濃縮して得られる苦汁（主成分：微量要素）３％、酸（リン酸、クエン酸）３％の混合液を１０００倍稀釈とした。本構造化濃縮深層水中に鉄鋼スラグを浸漬し、構造化微量要素を鉄鋼スラグ部分に配位し、環境浄化剤を得た。本配位を脱離するには強酸性にする必要がある。鉄鋼スラグ部分を構造化することによって、様々なマイナスイオン効果が強く現れる。溶出試験では環境基準を満たすものである（溶出試験の方法は、「土壌汚染に係る環境基準について」（平成３年環境庁告示第４６号）に定める方法によるものとする。溶出基準値：Ｃｄ，  Ｐｂ，  Ａｓ，  Ｓｅ  ＜  ０．０１，  Ｃｒ，  Ｈｇ  ＜  ０．０００５  （ｐｐｍ））。鉄鋼スラグに含まれる金属等の分析結果は以下の通りであり、埋立処分基準値を満たしている：ＲＨｇ  ＮＤ  （ＮＤ），  Ｈｇ  ＜０．０００５  （＜０．００５），  Ｃｄ＜０．０１  （＜０．３），  Ｐｂ＜０．０２  （＜０．３），  ｏｒｇａｎｉｃ  Ｐ＜０．０１  （＜１），  Ｃｒ（ＶＩ）  ０．０４  （＜１．５），  Ａｓ＜０．０１  （＜０．３），  ＣＮ＜０．０１  （＜１），  Ｓｅ＜０．０１  （＜０．３），  Ｔｒｉｃｈｌｏｒｏｅｔｈｙｌｅｎｅ＜０．００１  （＜０．３），  Ｔｅｔｒａｃｈｌｏｒｏｅｔｈｙｌｅｎｅ＜０．００１  （＜０．１）（ｐｐｍ），  ｐＨ  １０．９，  含水率５１．７％  （＜８５％）、熱縮減量  ３．１７％  （＜１５％）．（）内は埋立処分基準値である。  ただし、検定方法は産業廃棄物に含まれる金属等の検定方法（昭和４８年環境庁告示１３号）による。ダイオキシン類の濃度は：０  ｎｇ−ＴＥＧ／ｇ−ｄｒｙ（ダイオキシン類濃度は  ２，３，７，８−ＴＣＤＤ  毒性等量で示す。毒性等価係数はＷＨＯ−ＴＥＦ（１９９８）のＴＥＦを使用した。測定方法は「特別管理一般廃棄物及び特別管理産業廃棄物に係る基準の検定方法」（平成１２年１月１４日付厚生省告示第６号）によった。）
高炉から出るスラグは、可溶性珪酸、アルカリ分を含む。珪酸は稲の葉や茎の成長促進効果を有する。また、病虫害や秋落ちを防ぐ効果を有する。アルカリ分は酸性の土壌を中和する効果を有する。微量要素含有珪カル肥料として、作物の健全生育、収穫量の向上、土壌の改良効果を有する。
【０１２０】
【実施例４４】
深層水を濃縮して得られる苦汁（主成分：微量要素）３％、酸（リン酸、クエン酸）３％の混合液を１０００倍稀釈とした。本構造化濃縮深層水中に鉄鋼スラグを浸漬し、構造化微量要素を鉄鋼スラグ部分に配位し、環境浄化剤を得た。本配位を脱離するには強酸性にする必要がある。鉄鋼スラグ部分を構造化することによって、様々なマイナスイオン効果が強く現れる。溶出試験では環境基準を満たすものである（溶出試験の方法は、「土壌汚染に係る環境基準について」（平成３年環境庁告示第４６号）に定める方法によるものとする。溶出基準値：Ｃｄ，  Ｐｂ，  Ａｓ，  Ｓｅ  ＜  ０．０１，  Ｃｒ，  Ｈｇ  ＜  ０．０００５  （ｐｐｍ））。水砕スラグは軽量で、内部摩擦角が大きい（単位容積重量１．３ｔ／ｍ３、内部摩擦角３５°）。鉄鋼スラグは、ＮＰ（Ｎｏｎ  Ｐｌａｓｔｉｃｉｔｙ）のため、水に強く軟弱地盤においてもトラフィカビリティーが確保できる。長期硬化するため、重量荷重にも耐えられる。  土壌活性剤として、植物の生育を活性化する。
【０１２１】
鉄鋼スラグに含まれる金属等の分析結果は以下の通りであり、埋立処分基準値を満たしている：ＲＨｇ  ＮＤ  （ＮＤ），  Ｈｇ  ＜０．０００５  （＜０．００５），  Ｃｄ＜０．０１  （＜０．３），  Ｐｂ＜０．０２  （＜０．３），  ｏｒｇａｎｉｃ  Ｐ＜０．０１  （＜１），  Ｃｒ（ＶＩ）  ０．０４  （＜１．５），  Ａｓ＜０．０１  （＜０．３），  ＣＮ＜０．０１（＜１），  Ｓｅ＜０．０１  （＜０．３），  Ｔｒｉｃｈｌｏｒｏｅｔｈｙｌｅｎｅ＜０．００１  （＜０．３），  Ｔｅｔｒａｃｈｌｏｒｏｅｔｈｙｌｅｎｅ＜０．００１  （＜０．１）（ｐｐｍ），  ｐＨ  １０．９，  含水率５１．７％  （＜８５％）、熱しゃく減量  ３．１７％  （＜１５％）．（）内は埋立処分基準値である。  ただし、検定方法は産業廃棄物に含まれる金属等の検定方法（昭和４８年環境庁告示１３号）による。ダイオキシン類の濃度は：０  ｎｇ−ＴＥＧ／ｇ−ｄｒｙ（ダイオキシン類濃度は  ２，３，７，８−ＴＣＤＤ  毒性等量で示す。毒性等価係数はＷＨＯ−ＴＥＦ（１９９８）のＴＥＦを使用した。測定方法は「特別管理一般廃棄物及び特別管理産業廃棄物に係る基準の検定方法」（平成１２年１月１４日付厚生省告示第６号）によった。）
【０１２２】
本文中［／］は［および、または］を意味する。［％］で特に指定なき場合は［重量％］とする。
【０１２３】
【発明の効果】
原始土壌においては本来多種のミネラルが含有されていたものと推定される。近来の施肥、農薬散布、連作によって表土は急速に疲弊し、ミネラル（微量要素）成分は流出するに至っている。本土壌活性剤は、深層水から得られる苦汁に含まれる微量要素を放射線発生体で水のクラスターの水素結合やファンデルワールス力を切断し、活性化された形で植物細胞、微生物細胞に多量に供給することを目的とするものであり、細胞の免疫力向上、増殖力向上を計るものである。その結果、作物、微生物（子実体）の収穫増、病害発生の抑制が達成されるものである。